(57)【要約】      （修正有）【課題】保護フィルムを被覆する事前の画面の埃を取り除くことやその画面への曲がりを防ぐこと及び空砲速度を高める画面の保護フィルムを提供する。【解決手段】保護フィルム１７の一側面に剥離可能な滑材２５を設け、前記保護フィルム１７の他側面に粘着材３５を介して分割剥離フィルムシート４を設け、該フィルムシート４に設けられた画面の埃を除去する粘着材１２３と該粘着材１２３の表面に設けた剥離シート１１８を一体的に積層する。その保護フィルムを画面に被覆と同時にできる空砲をその滑材により空砲処理部材を滑る滑度を高め前記空砲を同時に運び空砲可能処理速度を向上させ及びその前記画面の埃を除去する粘着材と該粘着材には剥離シートを設けてなるその剥離シートの剥離により次の層なるその粘着材は前記画面への仮置き位置調整となし及びそのフィルムシートの一片の剥離と同時に埃を除去なせる。【選択図】図１
0003190322.tif 000002
【実用新案登録請求の範囲】
【請求項１】
保護フィルム（１７）の一側面に剥離可能な滑材（２５）を設け、前記
保護フィルム（１７）の他側面に粘着材（３５）を介して分割剥離フィル
ムシート（４）を設け、該フィルムシート（４）に設けられた画面の埃を
除去する粘着材（１２３）と該粘着材（１２３）の表面に設けた剥離シー
ト（１１８）を一体的に積層することを特徴とする表示画面用保護フィル
ム。
【請求項２】
前記画面の埃を除去する粘着材に該粘着材よりも弾力を有する部材を含
有させたことを特徴とする請求項１記載の表示画面用保護フィルム。
【請求項３】
前記弾力を有する部材を発砲体としたことを特徴とする請求項２記載の
表示画面用保護フィルム。
【請求項４】
前記フィルムシートの画面の埃を除去する粘着材の剥離シート側を凹凸
で形成したことを特徴とする請求項１記載の表示画面用保護フィルム。
【請求項５】
前記画面の埃を除去する粘着材に静電気防止材を含有することを特徴と
する請求項１記載の表示画面用保護フィルム。
【請求項６】
前記埃を除去する粘着材に繊維を含有することを特徴とする請求項１記載の表示画面用保護フィルム。
【請求項７】
前記画面の埃を除去する粘着材の凹部を該画面へ密着可能としたことを
特徴とする請求項４記載の表示画面用保護フィルム。
【請求項８】
前記画面の埃を除去する粘着材を該画面から着脱可能な粘着材としたこ
とを特徴とする請求項１記載の表示画面用保護フィルム。
【請求項９】
前記他側面の粘着材と画面の埃を除去する粘着材を異なる粘着力とした  
ことを特徴とする請求項１記載の表示画面用保護フィルム。
【請求項１０】
前記分割剥離フィルムシートの一片を突起形成としたことを特徴とする
請求項１記載の表示画面用保護フィルム。
【請求項１１】
前記保護フィルムに調湿材と滑材を含有することを特徴とする請求項１
記載の表示画面用保護フィルム。
【請求項１２】
前記他側面の粘着材をシリコン材系としたことを特徴とする請求項１記
載の表示画面用保護フィルム。
【請求項１３】
前記他側面の粘着材を前記画面から着脱可能としたことを特徴とする請
求項１または１２記載の表示画面用保護フィルム。
【請求項１４】
前記他側面の粘着材面側を凹凸としたことを特徴とする請求項１または
１２記載の表示画面用保護フィルム。
【請求項１５】
前記他側面側の粘着材面側なる凹凸の凸部総面積より凹部総面積を少な
くしたことを特徴とする請求項１４記載の表示画面用保護フィルム。
【請求項１６】
前記他側面側の粘着材面側なる凹部を連通させ前記保護フィルム外周端
部と連通させたことを特徴とする請求項１４または１５記載の表示画面用
保護フィルム。
【請求項１７】
前記分割フィルムシート総面積を保護フィルム総面積より多くしたこと
を特徴とする請求項１記載の表示画面用保護フィルム。
【請求項１８】
前記分割フィルムシート総面積を多くした材面を該分割フィルムシート
と異なる樹脂で形成し設けたことを特徴とする請求項１７記載の表示画面
用保護フィルム。
【考案の詳細な説明】
【技術分野】
【０００１】
本考案は携帯電話、携帯ゲーム機などの表示画面を保護するフィルム
の被膜に係る形成に関し、それらの保護の必要とする表示画面に対し保
護フィルム形状を問わず及び部材機種を選ばず全機種画面対応可能とし、
特にその保護の必要とする表示画面を有する部材にその保護フィルム形
成により完全にその画面の埃を除去となす粘着形成及び、仮置きなるそ
の画面の所定位置に正確に貼れる被覆と剥離からなる着脱可能な密着粘
着形成及び、その保護フィルムに係る空砲可能処理速度なる速さの向上
とし、従来なる保護フィルムにそれらを補足することにより欠点の解消
となす完全とする形成となり困難な被覆作業を軽作業で行うことのでき
る表示画面用保護フィルム。
【背景技術】
【０００２】
保護フィルムの一側面や他側面に係る画面密着面及び分割フィルムシート面は平らな部材からなりその部材を保護の必要とする携帯電話や携帯ゲーム機のそれらなどの表示画面にその保護フィルムを被覆することによりその保護の必要とする画面の保護機能が最大となる効果となるがしかし前記保護フィルムの一側面の滑度率はその平面としての滑りはよいが空砲への圧力に値とするその前記他側面はその空砲を処理する際に粘着部をくぐる圧力移動となるその空砲を抜くとする仮にヘラが空砲を運ぶ為、その滑度率としてはその前記空砲による圧力により低下しやや低くなりその前記空砲により低滑度となりかわるその保護フィルムではその空砲がその圧力移動に係る前記ヘラが運ぶその滑度率に伴うその空砲移動もやや低い速度となる為一度の圧力移動では抜けにくいその空砲となり従来とするその空砲処理可能速度なる範囲での速度は限られたものとなり前記低滑度なるそのヘラの空砲圧力停止などによる数回に分けたその処理上でその空砲を押すこととなり及びその保護フィルムの他側面に分割としない単数の剥離フィルムシートのその総面積を有する前記フィルムシートを一度で剥離しその施工面に係る粘着材面からなる保護フィルム総面積はそのことにより広大となる為被覆には不都合な点もややある保護フィルムや一番の問題点となるその前記分割フィルムシートに係る埃を完全に除去するその前記フィルムシートの単数なる形成や分割形成はなくその埃は保護フィルムなる被覆を害し静電気が帯びている埃となる為取り除くことが非常に困難となり及び、その前記埃を取り除く画面との被覆と剥離なる着脱可能な密着仮置き分割形成はなくその保護フィルムがその保護の必要とする画面に平行をとれずに曲がり失敗する点のそれらの問題点があった。
【先行技術文献】
【特許文献】
【０００３】
【特許文献１】特開２０１２−３５４３１
【考案の概要】
【考案が解決しようとする課題】
【０００４】
保護フィルムの一側面やその保護フィルムの上部層となる剥離なる補
助シートの一側面のそれらの滑度の滑度率は通常の平面としてはよいが
その保護フィルムと保護を必要とする画面なる中間部の空砲は密着され
た粘着部をくぐる圧力移動に対してはその前記粘着部をくぐる圧力によ
り空砲可能速度は限られたものとなりその為その保護フィルムから空砲
処理作業なる前記圧力移動を行うその空砲を運ぶとする仮にヘラの移動
に対するその前記ヘラが運ぶ速度となるその空砲移動上限可能速度に伴
うこととしない前記滑度となる為そのヘラにより運ぶ空砲が前記粘着部
をくぐるその圧力により前記限られたものとなり又その前記保護フィル
ムの他側面なる粘着材面に剥離可能に貼り付けたフィルムシートのその
前記フィルムシートに対しその前記他側面からなるフィルムシートはそ
の保護フィルムに係るその単数からなるフィルムシートを一度で剥離し
その前記保護フィルムの施工時はその単数フィルムシートによりそれを
前記剥離することによってその保護フィルムに係る施工面は前記剥離す
ると一度に貼る総面積が広大となる保護フィルムやまた前記単数からな
る剥離によるフィルムシートの分割形成なるそのフィルムシートのそれ
らの材面は保護の必要とする画面からの密着型としない離れた離間剥離
となりその為その前記保護フィルムなる湾曲状態による変形剥離やその
前記離間剥離形成なるその湾曲に係る埃の浮遊なる付着剥離やその前記
離間剥離に係るフィルムシートでの部材安定としない剥しにくさのそれ
らのことがその離間剥離にはありまたその前記フィルムシートなる分割
に係る一片には埃を除去とする粘着材での前記画面密着型となる被覆と
剥離のできる仮置き可能な形状のその分割なる形成はない為そのフィル
ムシートを剥離したその保護フィルムのその手に保持可能な材面はその
保護フィルムの仮に薄膜とする肉厚による前記フィルムの左右外周端部
を親指と人差し指により挟み持つものとなる為その保護フィルムなる他
側面の粘着材との指なる密着がおきやすくその前記密着による指紋付着
なる失敗のそれも前記失敗なる例の代表とし又その画面からの前記離間
なる埃を取り除く前記粘着材での密着形成としないその前記画面から離
れた時間差貼りである為その保護フィルムを被覆する寸前のその短時間
でその粘着面やその画面に埃が付着してしまい又その画面に係るカメラ
レンズなどのその保護フィルムに係るその為に設けられた孔とそのカメ
ラレンズのそれらが重なりにくいこともあり及びその保護の必要とする
画面の汚れは拭きとる清掃により取れるがその前記画面に係る一番の問
題点となる埃は静電気を帯びる埃となる為除去できなく一番の施工難解
としその前記静電気なる埃を完全に取り除くその埃を徐去するフィルム
シートの分割となる保護フィルム形成はなくその為その保護フィルムと
保護の必要とする画面との中間部にその埃が入りこみその前記画面を阻
害するその埃となりそれらの問題点があった。本考案は前記保護フィル
ムの一側面に剥離可能な滑材を設けた為その滑材の滑度を仮にその保護
フィルムの滑点以上からのその滑度率の選択肢が可能となる剥離可能な
滑材ともなりその保護フィルムに係る部材形成に応じた前記滑度とする
こともでき、仮に剥離可能であれば滑材なるその一つの滑材粒子とその
前記滑材粒子と異なる粒子なるシートの組み合わせ設けた滑材なる剥離
可能な滑度とすることによりその空砲はその前記空砲を運ぶとする仮に
ヘラによるその前記ヘラは外部からの圧力移動に伴う為その前記高める
滑度に伴う前記ヘラにより運ぶとするその空砲移動可能速度が向上し及
びその保護フィルムに係るその分割剥離フィルムシートの一片からなる
面積の前記分割剥離フィルムシートのその一片を剥離することによって
その一度に剥がすフィルムシートのその前記剥がす面積の減少によりそ
のことによりその保護フィルムは貼りやすさが向上してその前記一片に
よる小面積からなるその外周端部は空砲部なる位置より前記分割により
近距離となる為空砲が抜きやすくなり及びその分割剥離フィルムシート
に統合なるその該フィルムシートには画面の埃を除去する粘着材があり、
まず初めにその粘着材はその前記保護の必要とする画面への仮置きとも
なりえるその保護フィルムをその保護の必要とする画面への被覆と剥離
の繰り返し行うことのできる形成での前記画面との位置調整が可能なそ
のフィルムシートなる分割形成とし次にその前記該フィルムシートには
保護の必要とする画面の埃を除去とする粘着材としその前記仮置き形成
及び埃を除去なる粘着形成はその分割剥離フィルムシートにはその前記
フィルムシートの該フィルムシートに仮に保護フィルムに係る粘着力と
異なるその前記粘着力より少し低下させる粘着力とする画面の埃を除去
する粘着材が設けてある為その粘着材によりその保護の必要とする画面
に対しその分割剥離フィルムシートなるその粘着材はその分割剥離事前
の仮置き粘着材部としその為その前記少し低下させるその画面の埃を除
去するその粘着材は仮にその保護フィルムと保護の必要とする画面のそ
れらを前記被覆と剥離なる前記低下による着脱可能としその為その保護
フィルムは繰り返しその保護の必要とする画面との位置の調整が可能と
なりえその前記画面とのその粘着力の低下とする着脱形成の一つとしそ
の前記分割剥離フィルムシート形成に係るその粘着材による画面への確
率位置の調整での前記被覆と剥離なる着脱形成によるその前記確率確定
により所定位置となせた仮固定されるその保護フィルムはその保護の必
要とする画面なる位置確定から前記密着する為曲がることなく分割剥離
することができて尚その前記分割剥離フィルムシートに係るその前記画
面の埃を除去する粘着材はその被覆事前に係る画面の埃を除去しながら
密着分割剥離を可能としその為その保護フィルムの分割剥離フィルムシ
ート材面からなる仮にその粘着材によるその保護の必要とする画面との
密着剥離となりその為その前記保護フィルムなる湾曲状態を防ぎその前
記密着剥離により浮遊なる埃の付着を完全になくしその前記密着剥離に
係る保護フィルムなるその分割なる画面の埃を除去する粘着材のその表
面は前記分割なる一片の剥離と同時にその画面の埃を除去しながらその
前記画面に次の層となる保護フィルムの他側面に係る粘着材への即貼り
なる被覆の向上やその密着剥離による前記保護フィルムに係る全層が変
形としない剥がしやすさの向上のそれらのことがその前記密着剥離によ
り進化させまたその前記密着剥離によりその保護フィルムの分割の一片
を剥がしその保護フィルムの他側面なる粘着材との指なる密着を完全に
防ぎその密着分割材面形成に統合なる離間剥離としない前記粘着材なる
密着による剥離なる安定とする剥がしやすさの向上及びそれらに係る気
持ちのゆとりなる向上及び前記分割剥離フィルムシートに係る粘着材で
の仮置きでの移行からなるその画面上の埃を完全になくしえる形成とし
前記で記したその粘着材は画面の埃を除去する粘着材とする粘着材全般
の粘着材ともする為保護フィルムの他側面に係る粘着材の粘着力より少
し抑える画面の埃を除去する粘着材の粘着力なるシリコン材系で形成と
してもよいとし前記保護フィルムの他側面なる粘着材力とそのフィルム
シートなる画面の埃を除去する粘着材力は高める形成も可能となすがそ
の画面の埃を除去する粘着材力を仮に抑えることによりその前記仮置き
を良好としその前記滑材は保護フィルム形成の大半を占める粒子より滑
度の高い粒子を滑材ともなりその滑材の積層位置はその保護フィルムの
一側面より上部層としその滑材なる硬さなる硬度は低硬度から高硬度ま
たは弾力を有する部材などの硬度は問わないものとし剥離可能なシート
形成による滑材とすることも可能となりその前記シートは保護フィルム
への補強部材とする。
【課題を解決するための手段】
【０００５】
本考案１は
保護フィルム１７の一側面に剥離可能な滑材２５を設け、前記保護フィ
ルム１７の他側面に粘着材３５を介して分割剥離フィルムシート４を設
け、該フィルムシート４に設けられた画面の埃を除去する粘着材１２３
と該粘着材１２３の表面に設けた剥離シート１１８を一体的に積層する
ことを特徴とする表示画面用保護フィルムを提供。
【０００６】
本考案２は
前記画面の埃を除去する粘着材に該粘着材よりも弾力を有する部材を含
有させたことを特徴とする表示画面用保護フィルムを提供。
【０００７】
本考案３は
前記弾力を有する部材を発砲体としたことを特徴とする表示画面用保護
フィルムを提供。
【０００８】
本考案４は
前記フィルムシートの画面の埃を除去する粘着材の剥離シート側を凹凸
で形成したことを特徴とする表示画面用保護フィルムを提供。
【０００９】
本考案５は
前記画面の埃を除去する粘着材に静電気防止材を含有することを特徴と
する表示画面用保護フィルムを提供。
【００１０】
本考案６は
前記埃を除去する粘着材１２３に繊維１３８を含有することを特徴とす
る表示画面用保護フィルムを提供。
【００１１】
本考案７は  
前記画面の埃を除去する粘着材の凹部を前記画面へ密着可能としたこと
を特徴とする表示画面用保護フィルムを提供。
【００１２】
本考案８は
前記画面の埃を除去する粘着材を該画面から着脱可能な粘着材としたこ
とを特徴とする表示画面用保護フィルムを提供。
【００１３】
本考案９は
前記他側面の粘着材と画面の埃を除去する粘着材を異なる粘着力とした
ことを特徴とする表示画面用保護フィルムを提供。
【００１４】
本考案１０は
前記分割剥離フィルムシートの一片を突起形成としたことを特徴とする
表示画面用保護フィルムを提供。
【００１５】
本考案１１は
前記保護フィルムに調湿材と滑材を含有することを特徴とする表示画面
用保護フィルムを提供。
【００１６】
本考案１２は
前記他側面の粘着材をシリコン材系としたことを特徴とする表示画面用
保護フィルムを提供。
【００１７】
本考案１３は
前記他側面の粘着材を前記画面から着脱可能としたことを特徴とする表
示画面用保護フィルムを提供。
【００１８】
本考案１４は
前記他側面の粘着材面側を凹凸としたことを特徴とする表示画面用保護
フィルムを提供。
【００１９】
本考案１５は
前記他側面側の粘着材面側なる凹凸の凸部総面積より凹部総面積を少な
くしたことを特徴とする表示画面用保護フィルムを提供。
【００２０】
本考案１６は
前記他側面側の粘着材面側なる凹部を連通させ前記保護フィルム外周端
部と連通させたことを特とする表示画面用保護フィルムを提供。
【００２１】
本考案１７は
前記分割フィルムシート総面積を保護フィルム総面積より多くしたこと
を特徴とする表示画面用保護フィルムを提供。
【００２２】
本考案１８は
前記分割フィルムシート総面積を多くした材面を該分割フィルムシート
と異なる樹脂で形成し設けたことを特徴とする表示画面用保護フィルム
を提供。
【考案の効果】
【００２３】
本考案１は
保護フィルム１７の一側面に剥離可能な滑材２５を設け、前記保護フィ
ルム１７の他側面に粘着材３５を介して分割剥離フィルムシート４を設
け、該フィルムシート４に設けられた画面の埃を除去する粘着材１２３
と該粘着材１２３の表面に設けた剥離シート１１８を一体的に積層する
ことを特徴とする為その前記滑材を仮にその保護フィルムなどの上部層
に値する部材を滑る形成とするその剥離可能な滑材を設けた為前記滑材
を傾斜に係る高低差とたとえ、その高低差からなるその傾斜を保護フィ
ルムなる一側面とするとその傾斜なる前記一側面側に係るその保護フィ
ルムは空砲を運ぶとする仮にヘラがその前記空砲を運ぶ為その空砲はそ
の前記ヘラがその傾斜の高低差に伴うその高から低へ滑る速度に伴いそ
のヘラの速度向上と共に前記空砲は速度が増しその前記傾斜なる滑度イ
コール滑材となりその前記ヘラがその空砲を運ぶ前記空砲を押すという
圧力に対するその圧力移動はその剥離可能な滑材によりその空砲なる移
動に係る前記ヘラの移動を止めることなくその圧力低坑を勢いよく押し
やる移動の速度に伴う空砲移動なる向上のその滑材としその前記空砲は
その前記ヘラで運ぶそのヘラの滑る滑度率に伴う空砲移動可能速度を向
上させる空砲処理となりえ又前記保護フィルムの他側面に粘着材を介し
て分割剥離フィルムシートを設けてなるその該フィルムシートに設けら
れた画面の埃を除去する粘着材と該粘着材の表面に設けた剥離シートか
らなる積層とする為仮にその最下層となる剥離シートを剥がすことによ
りその分割剥離フィルムシートは保護の必要とする画面とその画面の埃
を除去する粘着材を有する分割剥離フィルムシートとなりその画面の埃
を除去する粘着材によるその仮に着脱可能な粘着材によりその前記保護
の必要とする画面への仮置きが繰り返し行うことができその画面なる所
定位置への微調整なる被覆と剥離のそれらの着脱が繰り返し行なえその
ことによりその画面なる所定位置に確実に置くことが可能となりえその
前記所定位置となる前記分割剥離フィルムシートの一片を段階的に剥が
しその前記粘着材で画面の埃を除去しながら剥離ができその埃のない画
面にその保護フィルムをその前記一片なるそのフィルムシート層の次の
層となる前記保護フィルムの他側面なる粘着層でその保護フィルムを即
貼りをすることが可能となりえ完全なるその前記埃を除去なしえる密着
被覆形成としそのフィルムシートの分割された複数からなる画面に係る
前記一片からなる小面積でのそのフィルムシートは前記画面の埃が除去
できるゆえにその前記保護フィルムの貼りやすい面積分をその分割から
なるその前記フィルムシートの一片を剥離しその前記保護フィルムを貼
ることができる為や及びその分割された前記小面積からなるその面積は
その分割により小さい面積となる為その保護フィルムを各部材の画面に
設けた際にその小面積と保護の必要とする画面との中間部にできる空砲
はその小面積からなる一片の外周端部はそのフィルムシートを分割とす
る為その前記フィルムシートなる一片を剥離した保護フィルムに対しそ
の一片に係る小面積なる保護フィルムは更に空砲が抜きやすくそれに伴
うその前記滑材なるその滑度率に伴う前記空砲可能速度の向上とし及び
その保護フィルムの兼ねるその空砲が抜ける分割形成ということは施工
しやすいものとなりえ、またその保護フィルムの他側面に係る粘着材は
粘着可能な粘着材系全般のその何れかの前記粘着材ともする為その粘着
材を仮に空砲の滑る粘着材として形成することができその為前記剥離可
能な滑材の空砲処理速度効果に伴うその前記保護フィルムの他方面に係
るその滑る粘着材を仮にシリコン系なる粘着材とすることによりその粘
着材面側も空砲処理速度をその前記保護フィルムの一側面なる滑材のそ
の効果にプラスさせそれらによる空砲処理をより前記空砲可能速度を向
上させることも可能となり、それらの統合によりそれらの利点をまとめ
るとその空砲移動に係る前記剥離可能な滑材の滑度率に伴う形成で可能
とする空砲可能速度の向上形成及び、前記フィルムシートに値とする前
記分割からなる小面積での空砲処理施工形成及び、分割剥離可能なフィ
ルムシートからなる該フィルムシートに画面の埃を除去する粘着材をい
かす保護の必要とする画面への前記被覆と剥離を繰り返しなせる着脱形
成なる仮置き位置調整及び、その前記分割剥離可能なフィルムシートと
画面の埃を除去する粘着材によるその前記保護の必要とする画面の埃を
除去しながらその画面で密着分割剥離ができる分割形成及び、その保護
フィルムが湾曲としない施工形成及び、画面被覆密着固定施工形成及び、
密着仮固定による前記分割なる一片の剥がしやすさの向上及び、前記保
護フィルムなる他側面なる粘着材に指紋付着を防止なせる形成のそれら
を統合して被覆を向上させる形成と共にどんな保護フィルムでも対応な
せる形成とし、その前記保護の必要とする画面を選ぶことなく全機種対
応可能とし、その画面を有する部材への保護フィルム施工が手軽なもの
へと進歩し発展を遂げる未来に向かう形成部材とする。
【００２４】
本考案２は
前記画面の埃を除去する粘着材に該粘着材よりも弾力を有する部材を含
有させたことを特徴とする為その粘着材にはその該粘着材よりも弾力を
有する部材を含有したことにより仮にその含有したその粘着材はその弾
力部材によりその粘着材表面に凹凸となる低硬度な弾力凸部を形成しそ
の凸部によりその凹凸形成となるその前記画面の埃を除去する粘着材は
その凹部により保護の必要とする画面との中間部に仮に微小な浮遊部を
作り上げる形成とすることによりその凹凸のそれらには粘着材を有し仮
にその凹部なる粘着材面はその保護フィルム保護フィルムに係る上部層
からの軽い圧力によりその凹部はその画面へと押され密着しその密着し
た凹部や圧力を必要としない凸部のそれらの凹凸は埃を除去しその前記
凹部なる粘着材面は仮にその画面と前記密着しても離れる画面からの高
さとすることによりその凹部なる粘着材はその画面から埃除去なる密着
を遂げて前記凸部なる弾力により元のその画面から浮遊なる凹部へと形
を戻しその為その形を戻し終えたその凹凸はその凹部の浮遊によりその
保護の必要とする画面からその保護フィルムに係る部材は離れやすいも
のとなりその為その前記保護フィルムの他側面なる粘着材とその保護フ
ィルムの他側面なる粘着材を介した分割剥離フィルムシートはその画面
の埃を除去する粘着材によるその保護の必要とする画面への前記位置調
整でおきるその画面との密着と剥離のそれらの繰り返しによるその前記
分割剥離フィルムシートが同時に剥離されることを防ぐものとなり及び
その画面の埃を除去する粘着材をその前記保護フィルムの他側面なる粘
着力よりをその前記凹部の浮遊の時のみ前記浮遊低下させることにより
その前記浮遊低下とする粘着材力によるそれらの粘着材力は差をつける
ことなくその画面の埃を除去する粘着材の粘着力自体を低下させること
なくその保護の必要とする画面の埃をその粘着力での埃除去効果率とな
りえその前記異なる部材によりその埃を除去する粘着材の粘着力を高め
ることも可能となる。
【００２５】
本考案３は
前記弾力を有する部材を発砲体としたことを特徴とする為本考案２の
前途記したその弾力の有す部材とすることによりその部材と合わさる
画面の埃を除去する粘着材なるその粘着材面は凹凸なるその凸部は弾
力を有せるものとなりその為その前記保護の必要とする画面に密着を
遂げからその凸部は前記弾力部材により離れやすいものとなりその弾
力部材は仮に微小な発砲スチロールの粉末となりその前記保護の必要
とする画面との仮置きが安定する施工での形状となりその発砲体はそ
の保護の必要とする画面より低高度で且つ弾力を有する部材である為
その画面への障害を防ぐ形成とする。
【００２６】
本考案４は
前記フィルムシートの画面の埃を除去する粘着材の剥離シート側を凹凸
で形成したことを特徴とする為その該フィルムシートなる前記画面の埃
を除去する粘着材の剥離シート側を凹凸にすることによりその画面の埃
を除去する粘着材面はその凹を有することによりその埃除去施工時にお
きるその前記保護の必要とする画面とその凹は仮に微小な浮遊部なる高
さを有する形成となりその凹凸には前記粘着材の粘着力を有する為その
凹は仮に保護フィルム一側面からの軽い圧力により変形しその保護の必
要とする画面に密着し仮にその凹なるその画面からの離れる高さとする
ことによりその前記画面に密着しその凹は埃除去なる密着を遂げて元の
その画面から浮遊なる凹へと形を戻しその為その形を戻し終えたその凹
凸はその凹の浮遊によりその保護の必要とする画面から離れやすいもの
となりその為その前記保護フィルムの他側面なる粘着材のその粘着材を
介した分割剥離フィルムシートはその画面の埃を除去する粘着材による
その保護の必要とする画面への前記位置調整時でのその画面との被覆と
剥離のそれらの繰り返しによるその前記分割剥離フィルムシートが同時
に剥離されることを防ぐものとなり及びその画面の埃を除去する粘着材
はその前記保護フィルムの他側面なる粘着力よりその画面の埃を除去す
る粘着力をその前記凹部の浮遊の時のみ前記浮遊低下させることにより
その前記浮遊低下とするその粘着材力によるそれらの粘着材は差をつけ
ることなくその画面の埃を除去する粘着材の粘着力自体を低下させるこ
となくその保護の必要とする画面の埃をその粘着力での埃除去効果率と
なりえその前記凹凸形成によりその埃を除去する粘着材力をその他側面
なる粘着材力より高めることも可能となる。
【００２７】
本考案５は
前記画面の埃を除去する粘着材に静電気防止材を含有することを特徴
とする為その静電気防止材を有するその画面の埃を除去する粘着材は
その前記保護の必要とする画面なる静電気のおきやすい状況画面部材
での前記静電気を帯びた埃をその画面の埃を除去する粘着材なる接触
と同時にその静電気をカットしその為その前記保護の必要とする画面
の埃は静電気をなくしえた埃となりその静電気なる付着によるその埃
は密着率が弱まる為その埃は仮にその粘着材の粘着力を抑えて形成し
てもその埃は除去しやすい粘着材となる。
【００２８】
本考案６は
前記埃を除去する粘着材に繊維を含有することを特徴とする為その粘着
材にその前記繊維を仮に布状で含ませることやその繊維を混合させるこ
とによりその繊維特有の浸透性を利用しそのことによりその繊維に係る
その画面の埃を除去する粘着材部はその前記浸透により粘着力を浸透低
下させるものとしそのことによりその粘着材は保護の必要とする画面か
ら離れやすい形成トすることができる。
【００２９】
本考案７は
前記画面の埃を除去する粘着材の凹部を該画面へ密着可能としたこと
を特徴とするその粘着材面は仮に凹凸やその粘着材と異なる部材なる
混合などのそれらの凹部が前記画面に密着可能とすればよい為それら
に係る部材や形成を大きくその形成枠を保てるものとし前記分割剥離
フィルムシートの粘着材や保護フィルムの他方面のそれら粘着材はそ
の前記分割フィルムシートを引きあう力をそれらの粘着材の粘着力を
かえることなく同じ粘着力でも互いの粘着材の引きあう力を前記凹部
により変えその画面の埃を除去する粘着材の役目を果たせる部材形状
の維持を行えるものとする。
【００３０】
本考案８は
前記画面の埃を除去する粘着材を該画面から着脱可能な粘着材とした
ことを特徴とする為その粘着材はその前記保護の必要とする画面から
の着脱が可能となりその画面の埃を除去する粘着材は前記保護の必要
とする画面への仮置きなる被覆と剥離なる前記着脱を良好する。
【００３１】
本考案９は
前記他側面の粘着材と画面の埃を除去する粘着材を異なる粘着力とし
たことを特徴とする為仮にその他側面の粘着材の粘着力より前記画面
の埃を除去する粘着材の粘着力を低下させることにより前記保護の必
要とする画面へのその前記仮置きを安定させるものとなりその粘着材
形成は簡単に行える形成とし凹凸などの形状を利用するそれらの部材
の形成次第ではその他側面の粘着材より画面の埃を除去する粘着材の
粘着力を高めることもできる。
【００３２】
本考案１０は
前記分割剥離フィルムシートの一片を突起形成としたことを特徴とす
る為その一片なる分割剥離フィルムシートは平面を有する為そのフィ
ルムシートの分割なる一片を剥離することにより形成によってはその
前記保護の必要とする画面も平面である為それらの平面同士は空砲を
抜きにくい形成となりその為仮に分割なる線となる一片の外周端部に
係る面に微量な高低差の高なる突起を部材で与えることによりその前
記一片を剥離するとその剥離した材面に係る保護フィルム材面は剥離
としないその一片の高低差の高なる前記突起となるその高さとの間に
浮遊なる傾斜を作りそのことによりその保護フィルムはその保護の必
要とする画面との中間部にできる空砲を逃げやすいその浮遊部となり
その為その空砲処理は何の低坑にも逆らうことなく流れ外気に消滅さ
せる形成とし及びその高低差の高なるその突起は粘着材を有しその高
に係らないその分割剥離フィルムシートにも粘着材を有す為その高低
差は仮に微量なその高低差とするとその材面は前記微量な差の凹凸と
なりその為仮にその保護フィルムの一側面から空砲処理作業ともなる
圧力を加えることによりその前記凹部は仮にその画面の平面に密着し
その画面から埃除去なる密着を遂げて元のその画面から浮遊なる凹部
へと形を戻しその為その形を戻し終えたその凹凸はその凹部の浮遊に
よりその保護の必要とする画面から離れやすいものとなりその為その
前記保護フィルムの他側面なる粘着材とその粘着材を介した分割剥離
フィルムシートはその画面の埃を除去する粘着材によるその保護の必
要とする画面への前記位置調整でおきるその画面との被覆と剥離のそ
れらの繰り返しによるその前記分割剥離フィルムシートが同時に剥離
されることも防ぐものとなりそのような形成とすることによりその空
砲が抵抗なく抜けやすくその前記仮置きなる位置調整も同時に進歩さ
せる形成とする。
【００３３】
本考案１１は
前記保護フィルムに調湿材と滑材を含有することを特徴とする為仮に
その保護フィルムの一側面は指に係る皮脂などが定着しやすいその皮
脂の定着なる改善とする為その調湿材によりその皮脂の吸収と乾燥を
なしえる形成とし及びその前記滑材を含有する形成によりその皮脂を
前記滑材の滑度により自然除去させその前記調湿材の効果とその滑材
の効果をよりその皮脂なる脂肪酸エステルをその保護フィルム上から
なくしえる形成としその保護フィルムを安定させるものとする。
【００３４】
本考案１２は
前記他側面の粘着材をシリコン材系としたことを特徴とする為その粘
着材をシリコン材系とすることによりその部材の特性となる滑る効果
を利用できるようになると共にその該シリコン材系なるその空砲処理
に係る可能なる速度を向上させると共にその前記本考案１なる剥離可
能な滑材によりその該シリコンなる空砲可能速度を更に向上させるこ
ととなる。
【００３５】
本考案１３は
前記他側面の粘着材を前記画面から着脱可能としたことを特徴とする為
その粘着材なる着脱可能とはその画面から被覆と剥離を繰り返し行うこ
とのできる粘着材となる為その粘着度はその画面に密着度を少し低下さ
せるものともなる為その前記少し低下させることによるその粘着材面と
その画面との中間部にできる空砲は抜けやすい着脱粘着度となる為その
前記空砲はその抜ける空砲可能速度が増しそれに伴う本考案１なる剥離
可能な滑材のその空砲が抜ける空砲可能速度の向上形成をプラスさせそ
れらの空砲可能速度により、更にその空砲可能速度を高めるものとする。
【００３６】
本考案１４は
前記他側面の粘着材面側を凹凸としたことを特徴とする為その前記保
護フィルムの他側面となる粘着材面側を凹凸なる凹を形成することに
よりその保護フィルムなる粘着材面側に係る保護を必要とする画面と
の中間部にできる空砲をその凹なる凹みを伝いその保護フィルムの外
周端部へと移行しやすい形成とし外気へと消滅させるものとなりその
前記剥離可能な滑材なる効果に統合することが可能なものとし前記空
砲可能速度より向上させるものとする。
【００３７】
本考案１５は
前記他側面側の粘着材面側なる凹凸の凸部総面積より凹部総面積を少な
くしたことを特徴とする為その仮に保護フィルムの平面なる総面積に対
するその凹凸の比率をその凸部総面積より凹部総面積を少なくした為仮
にその保護フィルムの一側面からの圧力に対するその凹部はその凹部総
面積が少ない為その前記一側面からの圧力での変形を遂げるその凹部は
数が少ない為潰しやすい前記凹部総面積となりえ空砲速度の向上と共に
その凹部の後処理を簡単に行えるものとする。
【００３８】
本考案１６は
前記他側面側の粘着材面側なる凹部を連通させ前記保護フィルム外周端
部と連通させたことを特とする為その前記凹凸の凹部を連通させ前記保
護フィルム外周端部と連通させたその外周端部へと繋がるその凹部は難
を有することなくその外周端部と繋がる経路を伝いその空砲処理を向上
させるものとする。
【００３９】
本考案１７は
前記分割フィルムシート総面積を保護フィルム総面積より多くしたこと
を特徴とする為その分割フィルムシート総面積はその保護フィルム総面
積が多くなりその為その分割なるフィルムシートなる一片は剥離しやす
くなると同時にその前記本考案１からなるその分割剥離フィルムシート
には画面の埃を除去する粘着材がある為その埃除去のよりよく行える形
成に繋がる形成とする。
【００４０】
本考案１８は
前記分割フィルムシート総面積を多くした材面を該分割フィルムシート
と異なる樹脂で形成し設けたことを特徴とする為その本考案１からなる
その積層に値する保護フィルムは表示画面用となる為その前記画面には
多数なる形状となりパソコンのような枠からなる凹みとする画面なども
ある為その画面のその埃なる前記埃を除去する粘着材によりよくその埃
除去施工となる形成とする為その多くする材面をその該分割フィルムシ
ートと異なる樹脂で形成することによりそのフィルムシートより低硬度
なシール材などで形成し設けることによりその前記凹みとする画面に対
応なす形成となりその分割フィルムシートは剥離しやすくなると同時に
その前記画面なる埃を除去しやすい形成とする。
【図面の簡単な説明】
【００４１】
【図１】考案に係る統合された保護フィルムの正面図。
【図２】埃を除去する粘着材の効果の拡大概略図。
【図３】埃を除去する粘着材の形状の拡大概略図。
【図４】埃を除去する粘着材の形状と効果の拡大概略図。
【図５】剥離可能な滑材効果を示す概略図。
【図６】空孔部の一例なる形状を示す概略図。
【図７】フィルムシート材の分割一例を示す概略図。
【図８】フィルムシート材や保護フィルムの硬度を示す概略図。
【図９】空孔部の作用効果の概略図。
【図１０】低硬度部材と高硬度部材の違いを示す概略図。
【図１１】フィルムシートの多くする材面の一例を示す概略図。
【図１２】多種からなるフィルム形成部材の一例を示す概略図。
【図１３】画面は見えタッチもできることを示す概略図。
【図１４】保護フィルムに係る鉱石の一例を示す概略図。
【図１５】保護フィルムに係る鉱石の一例を示す概略図。
【図１６】鉱石によるフィルムの使い方の一例の概略図。
【図１７】保護フィルムを使用できる部材一例の概略図。
【図１８】一例部材の効果を示した概略図。
【図１９】一例部材の効果を示した概略図。
【図２０】自然にできる空孔部を示した概略図。
【図２１】保護フィルムの一例凹凸形状の概略図。
【図２２】一側面に凹部を設けた概略図。
【図２３】仮貼りシートの使用方法の概略図。
【図２４】第二の凹凸材面の効果を示した概略図。
【図２５】分割面の高低差の作用と仮貼りシ―ト一例の概略図。
【図２６】簡単な制作方法を示した概略図。
【図２７】仮貼りシートの一例を示した概略図。
【図２８】形成一例の概略図。
【考案を実施するための形態】
【００４２】
以下、本考案の好適な実施例を図面に基づいて説明する。
【００４３】
図１は本考案に係る統合された保護フィルム１の一例を示す正面図
である。
【００４４】
図１は保護フィルム１７の一側面に剥離可能な滑材２５を設け、前
記保護フィルム１７の他側面に粘着材３５を介して分割剥離フィルム
シート４を設け、該フィルムシート４に設けられた画面の埃を除去す
る粘着材１２３と該粘着材１２３の表面に設けた剥離シート１１８を
一体的に積層することを特徴とする為その前記保護フィルム１７の一
側面１２４に剥離可能な滑材２５を設けたその滑材２５の滑度率を仮
にその保護フィルム１７よりその滑度率を高める前記滑材２５を有す
ことによりその前記滑度率に伴う空砲３８を運ぶとする仮に前記ヘラ
１３０での空砲可能速度の向上させる空砲速度となりえ、その前記画
面の埃を除去する粘着材１２３は保護フィルム１７の他側面に係る粘
着材３５より粘着度を少し低下させる粘着力形成とするとその分割剥
離フィルムシート４は保護の必要とする画面８４との前記被覆と剥離
の着脱が自在に行なえ繰り返しその着脱なる仮置きでのその保護の必
要とする画面８４との所定位置への微調整を行えるものとしその所定
位置から完全に曲がらないものとするその仮置きとなりえ、及びその
所定位置へ仮置きした状態からのその画面８４の埃を除去する粘着材
１２３はその保護の必要とする画面の埃２８を除去しながらその分割
剥離フィルムシート４の一片８３を剥離することができる為その保護
の必要とする画面に係る静電気を帯びる埃２８をなくしえる形成とな
りえ、及びその分割剥離フィルムシート４はその分割によりそのフィ
ルムシート４総面積を分割とする為その分割なる一片８３は小面積４
４となりえその前記滑材２５によるその空砲３８可能処理速度の向上
に伴なるその小面積４４は小さい面積となる為その保護の必要とする
画面８４との空砲３８が抜けやすい面積となりその画面の埃を除去す
る粘着材１２３による保護の必要とする画面との密着剥離できる仮固
定による剥がしやすさの向上及び気持のゆとりの安定なる分割剥離な
る向上となしえたそれらにより安定した保護フィルム１７施工を実現
し、それらの効果をまとめると第一の分割形成なる前記分割にしたこ
とによる小面積４４施工及び、第二の分割形成なる前記小面積４４に
係る画面の埃を除去する粘着材１２３なるその埃２８を除去する効果
及び、第三の分割形成なるその前記画面の埃を除去する粘着材１２３
による前記画面へ被覆と剥離なるそれらを繰り返しできる着脱可能な
仮置きなる保護の必要とする画面との位置なる微調整のできる形成及
び、第四の分割形成なる前記仮固定からの剥離とするその分割に係る
保護フィルム１７への埃２８の浮遊によるその埃付着をなくしえる形
成及び、第五の分割形成なる保護フィルム１７に係る粘着材３５との
指紋付着をなくしえる形成としそれらの統合によりその保護フィルム
１７を湾曲としないその保護の必要とする画面での密着仮固定空砲処
理とその保護の必要とする部材との離間剥離としない密着仮固定剥離
の進化なる向上やその密着仮固定剥離からのその保護フィルム１７を
その保護の必要とする画面への即貼りなる施工の向上となしそれらの
五つの分割８３形成に伴なるその分割空砲処理形成での前記滑材２５
の滑度率なる空砲移動可能速度の向上のそれらの形成による統合によ
り新たなる保護フィルムを形成し心のゆとりが保たれるフィルム施工
となり困難からなる施工に係る埃２８を完全除去がなせる未来に向け
る新施工を行えるものとする。                                                                                                                                                                                                                                        
【００４５】
図２は前記保護フィルム１７形成からなる分割剥離フィルムシート
４の該フィルムシート４に設けられた画面の埃を除去する粘着材１２
３効果を仮に規定寸法より拡大して明確に示し（ａ）はその画面の埃
を除去する粘着材１２３と該粘着材１２３の表面に設けた剥離シート
１１８を剥がし仮に携帯電話２６の画面８４とその前記画面の埃を除
去する粘着材１２３を重ねた様子を示し（ｂ）は前記携帯電話２６の
画面８４に埃２８が付着している様子を示しその画面８４と密着とな
るその前記画面の埃を除去する粘着材１２３のその粘着材なる粘着力
により前記画面に密着するものとなりえ、次にその前記分割剥離フィ
ルムシート４の一片８３を剥離した様子を示しその前記剥離した一片
８３にはその前記画面の埃をその剥離した一片８３からなるその前記
画面の埃を除去する粘着材１２３により付着させ処理した様子を示し
次にそれらの図面は前記拡大となる為この図では各部材の肉厚を厚く
有するがその剥離した前記一片８３のその保護フィルム１７の他側面
に設けた粘着材３５の表面とその剥離した一片８３に係るその前記携
帯電話なる画面８４のそれらの中間部は前記分割剥離フィルムシート
４などの肉厚なる仮にｍｍ単位となる為それらの部材の前記中間距離は
その前記ｍｍ単位となる為前記それらの部材のその中間部は接近しあう
こととなる為その前記保護フィルム１７のその前記画面の埃を除去す
る粘着材１２３はその前記一片８３なる分割片を剥離と同時にその前
記画面に時間を開けることなくその前記中間部はｍｍ単位となる為即貼
りすることが可能となりえその一片８３なる小面積４４に応じた空砲
処理の移行となり（ｃ）は前記他側面の粘着材と画面の埃を除去する
粘着材を異なる粘着力としたことを特徴とすることを示しそれらの粘
着材の粘着力を仮に粘着玉７２の円の数により粘着度を示し仮にその
保護フィルム１７の他側面の粘着材３５の粘着力を六としその前記分
割剥離フィルムシート４に係る画面の埃を除去する粘着材１２３の粘
着力を仮に三としそれらの粘着材の粘着力の比率によりその画面の埃
を除去する粘着材１２３でのその保護を必要とする画面への仮置きな
る調整時の着脱を前記粘着力を抑えるその前記三により粘着力の低下
とするその着脱により良好に行えるものとしこの形成が一番形成しや
すい一例となり（ｄ）は前記画面の埃を除去する粘着材をその画面８
４へ密着とする粘着材面の総面積なる粘着比率が変わる粘着材とした
ことを特徴とすることまたは前記画面の埃を除去する粘着材を該画面
から着脱可能な粘着材としたことを特徴とすることのそれらを示して
その画面へ密着とする粘着材面の総面積なる比率が変わる前記画面の
埃を除去する粘着材１２３の形状一例を示したものとなりその粘着材
の形成を仮に弾力部材７１なる半円で例え示したものとなりその半円
なる粘着材は前記画面８４に対しあてその弾力部材７１に係る部材に
圧力をかけることによりその粘着材は前記画面に密着とする粘着材面
の総面積がその弾力による変形によりその前記粘着総面積が変わるこ
とを示しまたその前記圧力をやめるとその半円なる弾力部材７１は元
の半円に戻す為粘着力を低下させずに粘着面との部材変形による密着
面を低下させた一例となりそれらの三図からなるその画面の埃を除去
する粘着材１２３のようなその前記画面８４からその粘着材１２３を
着脱可能とすることとその前記他側面の粘着材３５も同時にそのよう
に着脱可能とすることによりその埃を除去する粘着材１２３でその前
記画面の埃を除去する為その前記他側面なる粘着材はその画面には埃
の無い着脱を可能し図示はないがその前記保護フィルムの他方面なる
粘着材の肉厚に対しその前記画面の埃を除去する粘着材なるその肉厚
を厚めに形成することによりその前記保護の必要とする画面からその
粘着材は仮に高さを有する形成とするとその保護フィルム１７を剥離
するその指がその高さに入り込みその画面から剥がしやすい保護フィ
ルム形成とすることもできその保護フィルム形成に係るそれらの部材
形成なる高さのそれぞれなる誤差は作成しやすい形成とするとよい。
【００４６】
図３は本考案に統合可能な前記保護フィルム１７に係る画面の埃を
除去する粘着材１２３の形状例やその形状効果を示したものとなり（
ａ）は前記画面の埃を除去する粘着材の該粘着材に前記粘着材と異な
る部材を混合したこと特徴とすることを示しその前記画面８４の埃を
除去する粘着材１２３の表面は平面を有しまたその保護フィルム１７
の他側面に係る粘着材３５もまた平面を有しそれらの粘着材は同じ平
面となる為それらの粘着材の中間部材となる分割剥離フィルムシート
４は仮にそれらの前記同じ平面なる粘着度の同じ粘着力とするとまず
その前記画面の埃を除去する粘着材１２３を保護の必要とする画面８
４に前記仮置きするとその仮置きはその画面との数回なる着脱を繰り
返す位置調整となる為前記平面なる仮に同じ粘着力とすると前記それ
らの粘着材のその中間部材層となる分割剥離フィルムシート４はそれ
らの粘着力は同じである為その前記画面８４との数回なる着脱を繰り
返す位置調整時のその画面８４へ被覆又は剥離なるその前記着脱を繰
り返す時に生じるその分割剥離フィルムシート４が前記位置調整のま
だ定まらない施工時に仮にそのフィルムシート４なる一片が剥離され
てしまうという状態がおきてしまいその保護フィルム１７がその前記
画面８４に沿わず曲がった状態での被覆ともなり前記それらの粘着力
の差を仮に保護フィルム１７の他側面の粘着材３５の粘着力を六とし
もう一方の画面の埃を除去する粘着材１２３の粘着力を仮に三とする
とその前記仮置き位置調整はその密着または剥離を数回繰り返しても
その分割剥離フィルムシート４の仮に前記一片８３はその一方の粘着
材は低下とする形成となる為剥離されないものとなりその前記保護フ
ィルム１７形成としては仮にそのような粘着力の比率を例えて示した
がその比率形成とすると前記保護フィルム１７形成は簡略形成のとな
り、その形成とは異なるがその（ａ）の図面により説明するとこの形
成は前記それらの粘着材力を仮に保護フィルム１７の他側面の粘着材
３５の粘着力を六としその分割剥離フィルムシート４に係る画面の埃
を除去する粘着材１２３の粘着力を仮に六としそれらの粘着材力を変
えなくともよい形成となりまずその前記画面の埃を除去する粘着材１
２３に仮にその粘着材と異なる保護を必要とする画面８４より低高度
な部材を混合することによりその画面の埃を除去する粘着材１２３は
その前記混合により前記異なる部材５２による凹凸なる凹を作り上げ
その前記凹は仮にその保護フィルム１７の一側面から圧力をかけると
その凹は押されその画面の埃を除去する粘着材１２３の表面に係るそ
の全面は一時その保護の必要とする画面に密着しその前記圧力をやめ
ると同時にその凹はその凸なる弾力によりもとの形状に戻しそのよう
な変形可能な凹凸材面とし前記密着と同時にその画面に係る埃を除去
し尚その前記圧力をやめると同時にその元の形状に戻したその前記凹
凸はその画面８４から剥がしやすい形状となる為その分割剥離フィル
ムシート４は前記仮置き位置調整時には剥離されないものとしその安
定した仮置きが行えるものとなり尚前記それらの粘着材の粘着力の差
を変えなくてもよい形成となりその前記異なる部材５２の硬さとする
硬度はその保護を必要とする画面８４より低硬度部材から高硬度部材
とそれらの何れか硬度や又はその異なる部材５２形状などのそれらは
形成の仕方により変えるものであればよいとしその異なる部材５２は
仮に画面８４に係る部分となる為その前記低硬度な部材とすると画面
に傷のつかない硬度しその形状は問わないが画面に障害としない円を
帯びた形状がもっともよいという一例となり（ｂ）は前記フィルムシ
ートの画面の埃を除去する粘着材の剥離シート側を凹凸で形成したこ
とを特徴とすることまたは前記画面の埃を除去する粘着材の凹部を該
画面へ密着可能としたことを特徴とすることのそれらを示し仮にその
凹凸はフィルムシート４材面で形成してもその粘着材面で形成しても
良いとしその凹凸は仮に保護の必要とする画面変形密着可能な凹形成
とするとまずその凹８による浮遊部により前記仮置きなるその保護の
必要とする画面８４にその凹８は粘着力を浮遊部のみ低下させる部分
ともなる為着脱が手軽に行えるものとなり次にその保護フィルム１７
に係るその画面の埃を除去する粘着材１２３でのその画面所定位置と
なるその保護フィルム１７の仮に一側面１２４から圧力によりその凹
８は一時その保護の必要とする画面８４に密着しその画面８４なる埃
の除去をなしその圧力をやめると同時にその凹８はその画面８４から
離れ元の形状に戻す為前記仮置きを良好とする凹凸形成となりその凹
凸形成は仮その凹８が画面８４に密着と浮遊の繰り返しなせる硬度や
その凹８なる高さとするとよいとする。
【００４７】
図４の（ａ）から（ｃ）は本考案２で記し示した前記画面の埃を除
去する粘着材に該粘着材よりも弾力を有する部材を含有させたことを
特徴とする為または前記弾力を有する部材を発砲体としたことを特徴
とすることのそれらを示し前記保護フィルム１７に係る分割剥離フィ
ルムシート４なる画面の埃を除去する粘着材１２３に設けるその弾力
の有する仮に発砲スチロールの粉末を混合しその粘着材なる表面は保
護を必要とする画面に密着させる為その低硬度な弾力の有する部材７
１によりその粘着面なる形成時にできる凹凸のその弾力を有する凸に
よりその弾力はクッションをする為その画面８４に傷などがつかない
ものとしまずその凹凸の凹によりその保護の必要とする画面から浮遊
部を作ることによりその画面８４に仮置き位置調整なる浮遊なる着脱
が自在に行えるものとし次にその画面８４への所定位置となしえたそ
の保護フィルム１７に係る上部層から圧力を加えることによりその前
記凸は弾力を有する為その画面８４に変形しながら密着しその変形に
よりその凹凸表面は全面その画面８４に一時密着しその保護の必要と
する画面８４に係る埃２８を密着させるものとしその前記上部層から
の圧力をやめることによりその凹凸の凸は前記変形前の形に戻し次の
施工手順の保護フィルム１７の被覆となりその前記発砲スチロールの
粉末をその画面の埃を除去する粘着材１２３に前記混合するとその発
砲部分にもその粘着材を有するようになる為その埃の除去を確実とす
る形成ともでき（ｄ）から（ｆ）は前記画面の埃を除去する粘着材１
２３に静電気防止材２３を含有することを特徴とする為その保護フィ
ルム１７に係る分割剥離フィルムシート４なるその画面の埃を除去す
る粘着材１２３は保護の必要とする画面８４に密着させ埃を除去する
ものとなる為前記その埃には静電気の帯びるしつこい埃となりその粘
着材には静電気防止材２３を設けてある為その前記保護の必要とする
画面８４とその粘着材が接触と同時に静電気をカットできる形成とし
その画面に係る静電気のないその埃の付着度の低下により更に軽量と
なりかわるその埃をその粘着材により密着させる形成としその静電気
防止材２３をその画面の埃を除去する粘着材１２３に混合することに
よりその粘着力は低下させ、前記低下させてもその埃を効率よく除去
することも可能となる。
【００４８】
図５は本考案なる前記剥離可能な滑材２５の効果を詳しく説明した
ものとなり形成に係る補強の一例となるがその滑材２５は剥離可能と
する為前記剥離可能であればシート部材にその滑材２５を設けてもよ
いとしそのようなシート形成とする滑材２５とするとその保護フィル
ム１７はそのことにより補強されて仮にその保護フィルム１７は風や
外気の影響を受け付けにくくなり又低度の力などでは湾曲せずにその
保護の必要とする部材とその前記剥離可能な滑材２５なるその前記シ
ート部材形成では前記補強と同時に保護フィルム１７は平行での仮置
きができるようになる為そのことにより貼りやすい部材ともなり施工
できて尚その前記剥離可能な滑材２５なるそのシート部材形成により
その前記保護フィルム１７をその保護の必要とする画面８４への被覆
時はその前記保護フィルム１７は前記シート部材形成により守られて
いる為傷がつかないものともなり、及びその前記剥離可能な滑材２５
は滑度率が高い為空砲３８を抜く施工時にその滑材２５は前記空砲３
８を抜く時に使用するヘラなどの圧力をかけ押し出す部材がその前記
滑材２５により滑りやすくなる為従来その保護フィルム１７に係る表
面上での引っ掛かる滑り止めが解消される為軽快に前記空砲３８を押
し出すことができてその前記軽快にともなう空砲移動可能速度の向上
となり、それらのことにより心ゆとりの安定が保たれると共に完全な
る保護フィルム１７の被覆施工の仕上がりとし前記滑材２５は仮に透
明な蝋材でもよいとし最終図となる（ｅ）は滑らない部材とする弾性
部材のゴム１２９の滑度率を仮に５０％とし及びその前記保護フィル
ム１７なる滑度率を仮に７０％とし及びその前記シート部材形成なる
滑材の滑度率を仮に８５％としたそれらの部材での空砲３８速度をそ
の一つの図で仮説明したものとなりその前記ゴム１２９なるその５０
％部材の空砲３８処理作業なるその圧力移動はその５０％の速度に伴
い仮にその圧力移動に係る空砲３８を抜く道具とするヘラ１３０がそ
の前記空砲３８を運ぶ為その滑度率に伴うその空砲３８速さが仮に前
記空砲可能速度の低下なる一速度となりまたその仮に通常とする前記
保護フィルム１７のその滑度率を仮に７０％とするその圧力移動はや
はりその前記ヘラ１３０でその空砲３８を運ぶ為その滑度率に伴う前
記速さなるその空砲可能速度が仮にその一速度より速度の増した二速
度となりまた仮にそのシート部材形成なる滑材なるその滑度率が８５
％となるその滑材面ではここでもまたその前記ヘラ１３０が空砲３８
を運ぶためその前記８５％に伴なる空砲３８移動可能速度の向上とな
りその速度は仮に三速度となりその空砲３８は前記他側面なる粘着材
３５面側でも一例となるが仮に着脱可能なシリコン７８材系なるその
粘着材での滑り効果と共にその粘着材の他側面側のその保護フィルム
１７の一側面１２４側のその全記滑材２５も同時に滑らせることによ
りその空砲３８処理可能速度は更に増すものとなりその速度は仮に四
速度となりこの形成が一番良いという一例となりその前記空砲３８可
能処理速度の向上はその前記他側面なる粘着材３５面側だけを滑らせ
る空砲３８処理効果が最大に発揮するものでもなくその前記保護フィ
ルム１７の一側面１２４に係るその剥離可能な滑材２５なる材面とそ
の逆面なるその保護フィルム１７の他側面のそれらの面を仮に同じ滑
材２５に係る材面なるそれらの滑材率は前記粘着材３５なるそのシリ
コン７８材系は空砲を滑らせ又前記滑材２５は空砲を運ぶそのヘラ１
３０を滑らせそれらの効果の作用点は異なるがそれらは空砲可能速度
が向上なる一定なる法則でその速度は高めることができるものとなり
前記滑材２５は保護フィルム１７一側面から上部層としまたは剥離可
能であればその滑材率を高めた前記シート部材形成でもよいしその保
護フィルムを仮に１％の滑度率とするとその滑材率の上げ幅が前記１
％以上であればどんな形成方法でもよいとものとしこの形成は剥離可
能な滑材２５が最上層となるがその前記異なる部材であってもその滑
材は同じ理論形成ともなり仮に一例となるがそのシート形成材面の中
央部を高としその高からなる仮に三角形状なる高低差のある傾斜とす
るとその前記ヘラはその高低差の高い面から高低差の低い面に滑降な
しその前記空砲も同時に滑るものとなりその滑るその高低差をその滑
材２５に変え有したものとなり前記保護フィルム１７やその滑材２５
は形成が多数ある為それらの前記滑度が定まらない場合もある為仮と
なるが前記シリコン７８材系なるシリコンを基準にそのシリコンの滑
度及びその前記シリコンの上下なる幅の何れかの滑度率としてもよい
とし前記ヘラ１３０が軽快と思える滑度の選択肢を可能とし、図示は
ないが前記ヘラ１３０のような仮に体積や面積または質量のそれらを
有するその何れかの部材に滑材１４０を有すことによりその前記何れ
かに値する部材はその保護フィルム１７と保護の必要とする画面８４
との間にできる空砲の処理速度を高めることのできる部材ともできそ
の高めた部材をその保護フィルム１７に係る部材の該部材に設けても
よいとしまたは付属品や単体部材となるがそれらの形成による効果は
前記滑材１４０と一様なものとし仮に形成次第にもよるが前記滑材１
４０はシート材１３６なるそのベースが滑材１４０なる理想な滑度と
するのであればその前記ベースのみを滑材１４０としてもよいとしそ
のベースなるシート１３６材の滑度率の基準は保護フィルム形成に係
るその保護フィルム１７の滑度率も含むものとする。
【００４９】
図６の（ａ）は前記他側面側の粘着材面側なる凹凸の凸部総面積よ
り凹部総面積を少なくしたことを特徴とすることや前記他側面の粘着
材をシリコン材系としたことを特徴とすること及び前記他側面の粘着
材面側を凹凸としたことを特徴とするそれらを示しその前記粘着材３
５をシリコン７８材系に係ることとなるその前記凹部８は保護の必要
とする画面８４からの仮に微量に浮遊を伴う為軽快に空砲３８が滑る
粘着材となるそのシリコンの特性に値する滑り効果を利用できその凹
部８なる効果に伴う空砲処理となりえその（ａ）から矢印に沿うその
図は前記他側面側の粘着材面側なる凹凸９３の凸部９４総面積より凹
部８総面積を少なくし前記凹部を前記保護フィルム１７総面積に対す
る幅の該幅から均等に配分したことを特徴とする為その前記凹部はそ
の矢印から戻る（ａ）図の均等としないその凹部８と比べ、均等とす
るその凹部８は前記空砲の抜けえない長さなる間隔を有さないように
なる為その空砲はその微量なる前記間隔が空砲を閉じ込めてしまう原
因ともなる為空砲の抜けえる長さの前記均等に配分したものとなり
（ｂ）は前記他側面側の粘着材面側なる凹部を連通させ前記保護フィ
ルム外周端部と連通させたことを特とする為その前記保護フィルム１
７の他側面６となる粘着材３５面に係るその空孔の凹部８の大きさを
１ミリ単位とせずに仮にミクロ単位として形成した為その保護の必要
とする画面にその保護フィルム１７を被覆した際にその保護フィルム
１７と前記保護の必要とする画面のそれらの間には空砲からなる空気
３８が生じやすい為その前記空砲からなる空気３８の逃げ道をその空
孔の凹部８より確保し空砲３８の逃げる形成としその凹部８を連通１
５させ前記保護フィルム１７の外周端部１６と連通１５させた為その
空孔の凹部８に空砲からなる空気３８を自然にその前記空孔の凹部８
に集めその空孔の凹部８より外周端部１６へと連通１５されたその連
通経路により空気３８が前記外周端部１６へと抜ける仕組みとし（ｃ）
は前記凹凸９３の凹８を上面より底面を長くしたことを特徴とするこ
とを示して前記空孔の凹８を仮となるが正三角錐５６とした部材とし
たことを特徴とする概略図となりその前記正三角錐５６の頂点に係る
前記保護フィルム１７の一側面１２４に圧力５５を加えることにより
その正三角錐５６からなるその空孔の凹８はその前記頂点からなるそ
の正三角錐５６の保護フィルム外周端部１６へと広がる三辺に力が係
りその前記三辺はその外周端部１６へと滑るように広がる為その正三
角錐５６からなる前記空孔部は保護の必要とする部材に対して密着も
のとなりその前記正三角錐５６からなる空孔の凹部８はその前記圧力
５５により変形しやすいものとなり又その前記正三角錐５６は前記空
孔の凹部８に係る保護フィルム１７側面視なる前記立体の上面より底
面を長くしたことやその形状に係る平行から開く角度とした形成とし
たことを前記空孔の凹部８の一例でその正三角錐５６を示しその前記
平行から開く角度を説明しその角度を有す斜面はどのような形状空孔
部にも統合させることができて次の（ｄ）で記す保護フィルム１７の
平面視が曲線２４からなる空孔の凹部８でも前記上面より底面を長く
した７０その立体からなる斜面は統合することができてどんな空孔の
凹部８の形状でも前記上面より底面を長くしたこと７０という斜面を
設けることにより真下に係る力を横に分散させてその保護フィルム１
７で保護の必要とする画面８４に密着を確実化してその正三角錐５６
からなるその頂点から結ぶその三辺は三角形の頂点から結ぶ二辺より
もその前記分散率は高くなり（ｄ）は前記空孔の凹部８の平面視を曲
線２４とした形成としたことを特徴とする為前記保護フィルム１７総
面積に係る空孔の凹部８の比率によりその空孔の凹部８を点や線で結
ぶよりもその曲線２４にすることにより空砲からなる空気３８を拾う
形状なる部材となりその前記空孔の凹部８は（ａ）のように少数な形
成にしたほうが数が少ない為潰しやすく（ｂ）では説明を理解しやす
いようにその空孔部を多く示し説明したが（ｅ）はその空孔の凹部８
は前記分割なる一片８３に対しその空孔の凹部８の形状やその分割か
らなる一片の総面積のそれらの大きさにもよるが前記一片８３なる面
に対してその空孔の凹部８の大きさは前記で記したその空孔の凹部８
の形状より違いを生じるがその前記空孔の凹部８は一例となるがここ
が重要点となりその保護フィルム１７が高硬度であるとその硬度がそ
の空孔の凹部８の変形を妨げるものとなり又その保護フィルム１７面
に対し目で追えないような、その凹部８を少し触れるとようやく確認
できるような微小の空孔の凹部８としできるだけその空孔の凹部８を
大きく少数なものとして形成した部材にするとその前記保護フィルム
１７の上部からなる前記保護フィルムの一側面１２４からの外圧力５
５を加えることによりその空孔の凹部８は完全にその保護の必要とす
る画面なる平面に粘着材で密着し変形なせる形状凹部８形成なる一例
となりその前記保護フィルム１７はその保護フィルム１７で保護の必
要とする画面８４に前記密着するものとなりそのように形成してもよ
いとしその前記空孔の凹部８の形状は（ｃ）で記した前記正三角錐５
６は微小な為作成しにくいが仮にそのように保護の必要とする部材に
向かいその保護フィルム１７に係る空孔の凹部８の側面視を平行から
開く角度を有す形状だと密着しやすい為、微小の空孔部の中では大き
な空孔の凹部８を作ることが可能となる例となり（ｆ）は前記で記し
た一例からなるその頂点をカット５７して面に変えそのような立体を
示したものとなる概略図となり（ｇ）は前記（ｆ）で記した正三角錐
５６のその頂点を面に変えたその形状のその空孔部の側面視は台形で
あり仮にそのように立体を前記空孔の凹部８を前記立体とした部材と
したことを特徴としそのように空孔の凹部８を立体とした部材にする
ことによりその空孔の凹部８は複数からなる空孔部８で形成すること
できて尚その複数に係るその中の一例となるその前記正三角錐５６の
前記頂点は点からなるがその前記点が前記面になることによりその前
記空孔の凹部８はその保護の必要とする画面に対してその前記保護フ
ィルム１７からなるその空孔の凹部８はその前記面により密着しやす
いものとなり今まで記した空孔の凹部８は一例となる例でありその凹
部８形成は微少な為それぞれ作成しやすいその空孔の凹部８を設ける
とよいしその前記（ａ）が一番形成しやすいという一例となる。
【００５０】
図７の（ａ）から（ｅ）は分割の詳細や形状を示しその分割形状な
るその形状は様々なる複数形となりえるが（ａ）は考案に係る統合さ
れた保護フィルム１の一部構造を示して（ｂ）は前記分割の一片８３
からなる部材を複数の異形からなる形状または複数なる形状面もし
くは複数なる面積としたことを特徴とする為保護の必要とする部材
形状により貼りやすいその分割の一片８３は異なり中心部から貼る
一例となりその前記異形をわかりやすく示したものとなりその前記
異形にすることまた複数なる形状面とすることもしくは複数なる面
積とすることによりその前記部材形状により貼りやすい形状のその
面積の調節ができ尚一例となるが前記分割なる一片８３の肉厚を複
数の厚みからなる部材または重ね合わせた厚みとしたことを特徴と
する為その分割された最初に剥がすその分割なる一片８３を一番厚
みのあるものとして形成することや及び前記重ね合わせる厚みとす
ることによりその最初に剥がす分割なる一片８３は厚みがある為指
に係りやすく他の部材を使用しなくても簡単に剥がせる部材として
形成したものとなりその（ｂ）のより矢印を経てその図はよくパソコ
ンなどに見られる画面はその画面を抑える枠よりも凹部となる凹み
となる前記パソコンが多く見られる為その枠による凹部にその前記
保護フィルム１７総面積よりその前記一片８３に係る分割剥離フィ
ルムシート４総面積を多く形成するとその多くする８９材面がその
被覆に害する為前記分割なる一片８３を複数なる画面部材に対応で
きるようにその分割なる一片８３のフィルムシート４を複数の部材
で多くする面積を調節できるものとし（ｃ）は前記分割なるそれらの
一片８３形成を均等に分けた形状としたことを特徴としたこととな
りその前記均等によりそれらの分割なるその一片形成は均一で有る
為施工をする際に同じ形状からなるその一片８３であることにより
その作業は同じ作業の繰り返しとなりコツの掴みやすい前記一片８
３形状となり保護の必要とする部材画面形状に応じてその分割形状
を使いわけるとよいし（ｄ）はその前記保護フィルム１７の他側面６
に設けた分割剥離フィルムシート４の最初に剥がす一片８３を剥が
した様子を示したものとなりその一片８３なる面を一枚剥がすと同
時にその切り込みとなる分割線７により切り離されてその切り離さ
れた小面積４４での保護フィルム１７施工が可能となり（ｅ）は（ｂ）
で示した前記肉厚をよりわかりやすく示したものとなりその複数な
る前記一片８３を均等にすることによりその保護フィルム１７制作
が簡単なものとなり（ｂ）で記し示したその前記その異形を解りやす
く記し示したがその示した異形はその中心面なる一片８３を剥がす
ことによりその分割面なる保護フィルム１７を保護の必要とする画
面に被覆すると前記中心面なる周りの分割８３なる複数の一片が剥
がしにくくなる一例となる。
【００５１】
図８の（ａ）から（ｆ）は統合された保護フィルム１７に係る部材
の硬度の一例を示して（ａ）はその統合された保護フィルム１の一部
となる保護フィルム１７を示しその保護フィルム１７は一例として
樹脂１２の量を低減させて形成してありこれを仮に低硬度部材とし
（ｂ）はその前記保護フィルム１７の一側面に設ける剥離可能な滑材
２５となり（ａ）で記した樹脂量１２よりは多く使われている為その
部材の硬度は増してこれを仮に高硬度部材とする。（ｃ）はミニカー
１０の先端に（ａ）で記し示した一例となる部材を取付け、軽量の力
でその前記ミニカー１０を走らせて壁１１に衝突させて部材の硬度
を示したものとなり仮にその低硬度部材からなる保護フィルム１７
は湾曲することを示し（ｄ）は（ｂ）で記した部材をミニカー１０の
先端に取り付けて（ｃ）で記した前記軽量の同じ力でその前記ミニカ
ー１０を走らせて壁１１に衝突させて部材の硬度を示したものとな
りその仮に低硬度部材からなるその保護フィルム１７の一側面１２
４に有する剥離可能な滑材２５は曲がることなく直線を保つことを
示し（ｅ）は後述で記すとし（ｆ）は（ｂ）で記した部材硬度は同様
な部材となりこれを仮に高硬度部材とする。図を一つ戻り前記後述と
するその（ｅ）は（ｆ）で示した部材をミニカー１０の先端に取り付
けて（ｃ）で記した前記軽量の同じ力でその前記ミニカー１１を走ら
せて壁１１に衝突させて部材の硬度を示したものとなりその仮に低
硬度部材からなるその保護フィルム１７の他側面６に設ける分割剥
離フィルムシート４は曲がることなく直線を保つことを示したそれ
らの硬度は全て一例となるがそれらの前記硬度を示した概略図とな
り前記で記した部材硬度は使用する保護の必要とする部材などによ
りその硬度を変えるともっともよいとしその前記保護フィルム１７
以外の部材はあまり硬度を高めすぎると被覆の際にその硬度部材が
害する為例え例で中硬度とするとよいとしその保護フィルム１７を
基準にそれらの保護フィルムに係る部材はその前記基準の上下硬度
の上げ下げは自由形成としその保護フィルムに係る部材の該部材を
一部だけその硬度を変えて施工しやすい形成としてもよいとする。
【００５２】
図９は前記保護フィルムの他側面なる粘着材もしくは前記保護フ
ィルムの他側面を画面に合わさる形成の前記粘着材により変形密着
なる前記密着する粘着材総面積の変わる凹凸としたことを特徴とす
ることを示し前記空孔の凹部８の特徴や効果をより詳しく説明した
概略図となり（ａ）はその前記空孔の凹部８を有した保護フィルム１
７の他側面６には粘着材３５が有するものとなりその粘着材３５は
貼りなおしとしない構造となる為シール状に保護の必要とする画面
から剥がせない部材で形成してもその前記保護の必要とする画面８
４から剥がせる着脱可能な部材で形成してもよいとし（ｂ）はその保
護フィルム１７をその画面に被覆した様子を示した概略図となりそ
の空孔の凹部８からなるその凹部８を仮に０．５ｍｍの凹部８の凹みと
してその保護フィルム１７によりその保護の必要とする仮に携帯電
話２６の画面８４に被覆したものとなり（ｃ）より（ｂ）の前記０．
５ｍｍの凹部８によるその空孔部だとその前記凹部８の凹みが大きい
為その画面８４とその凹部８に係る粘着材３５は密着せずに前記凹
部８と共に空砲３８が残るということを示した概略図となり（ｄ）よ
り（ｂ）からなるその凹部８を微小に小さめに形成しその凹部８の大
きさは仮にミクロ単位の凹部８としてその保護の必要とする携帯電
話２６の画面８４に被覆するとその前記ミクロ単位の凹部８に係る
保護フィルム１７の一側面１２４からの仮となるが前記ヘラ１３０
の圧力５５によりそのミクロ単位の凹部８からなるその空孔部によ
りその前記空孔部を伝い空砲３８を逃がしながら更にそのヘラ１３
０で圧力５５を加えることによりそのミクロ単位からなる凹部８は
押されてその凹部８材面に係る粘着材３５が画面に密着し定着する
ものとなりその空砲からなる空気３８をその空孔部により抜ける仕
組みとしその画面上部面と保護フィルム１７間の空砲からなる空気
３８をそれらの形状部材により外気に消滅させた。追記としてその空
孔部からなる凹部８の大きさを仮にミクロ単位と記したがその前記
０．５ｍｍとの区別を明確にする為や微小さを示す為にｍｍ単位の下の
単位となるミクロ単位で記して説明したが例えばその保護フィルム
１７の厚みを１ｍｍとしその十分の一でその空孔部からなる凹部８を形成してもよいとする。
【００５３】
図１０は前記保護フィルム１７やその他側面６からなる分割剥離
フィルムシート４又はその保護フィルム１７の一側面１２４に係る
剥離可能な滑材２５の一例となる硬度を簡単なる風により説明し仮
に低硬度部材と高硬度部材の施工状況を記したものとなり（ａ）は仮
に低硬度部材の保護フィルム１７を示しその前記低硬度部材からな
る保護フィルム１７はその前記微量の風の影響により湾曲すること
を示して（ｂ）は（ａ）で記したその湾曲した状態でその前記保護フ
ィルム１７を保護の必要とする部材の一例となる携帯電話２６の画
面８４にその前記湾曲した保護フィルム１７によりそれをその前記
保護の必要とする画面に添えた様子を示しその湾曲したその保護フ
ィルム１７はその画面との平行は保たれない為その湾曲部に空気が
入る前記保護フィルム１７とその画面からの前記離間剥離の様子を
示した概略図となり（ｃ）は仮に低硬度部材からなるその保護フィル
ム１７の一側面１２４には仮に高硬度を有す剥離可能な滑材２５を
設けた部材である為その前記高硬度を有す剥離可能な滑材２５によ
り前記低硬度からなる保護フィルム１７はその高硬度部材により補
強されて微量な前記風が吹いてもその保護フィルム１７は湾曲しな
いものとなり（ｄ）より（ｃ）で記したその補強された保護フィルム
１７は保護の必要とする部材の一例となる携帯電話２６の画面にそ
の補強された保護フィルム１７を添えたものとなりその前記補強さ
れた保護フィルム１７は前記微量の風では湾曲せずにその保護の必
要とする携帯電話２６の画面とその前記保護フィルム１７は平行が
保たれる為空砲３８が入りにくいということを示した概略図となり
前記高硬度部材と理解しやすいようにそのように硬度を記したが保
護の必要とする部材にもよるがその硬度をあまり高めに形成するこ
とによりその高硬度による部材が前記被覆を害する為中度による硬
度の部材で形成してもよいとしその保護フィルム１７でもその前記
空孔の凹部８の変形としやすいその画面に密着しやすいその前記保
護フィルム１７の硬度を調整とするとよいとしその保護フィルム１
７の硬度を基準にその保護フィルム１７に係る部材硬度の上下なる
それらの幅に値するそれらの硬度は保護の必要とする画面８４に対
し扱いやすい硬度の自由形成とし考案なる保護フィルム１７形成は
前記保護の必要とする画面と密着型となる為その前記風による影響
はほぼない為あまりその硬度は気にしなくともよいとし（ｅ）は前記
画面総面積と前記埃を除去する粘着材総面積を同じとしたことを特
徴とする為その粘着材はその前記画面の埃を一度に除去することが
できる。
【００５４】
図１１は前記分割剥離フィルムシート４総面積を保護フィルム１
７総面積と比較してその前記フィルムシート４の硬度と前記硬度か
ら上下硬度のそれらの何れかに値する多くなせる部材で多くし８９
前記保護フィルム１７外周端部１６を示すそれらの部材より明確な
目印１３７を前記該外周端部１６と重なる前記分割剥離フィルムシ
ート４に設けたことを特徴とし（ａ）と（ｂ）はその多くなせる異
なる形状を示してその保護フィルム１７より分割剥離フィルムシー
ト４の総面積を多くする８９それらの突出部１３や凹凸部でも形状
により前記総面積を多くする８９ということもいえて（ａ）は前記分
割フィルムシート総面積を保護フィルム総面積より多くしたことを
特徴とすることを示しその前記分割剥離フィルムシート４と保護フ
ィルム１７のそれらの総面積を同一としそのフィルムシート４の該
フィルムシート４からその前記フィルムシート４と同じ部材を突出
させその前記突出部１３を屈折１２６させてその突出部１３からな
る前記多くする８９ということを示したものとなり（ｂ）はその前記
フィルムシート４を保護フィルム１７と比較して総面積を多くする
８９ことを特徴とするそれらの形成は複数からなるがその複数から
なる一例を示してそのようにその保護フィルム１７より前記分割剥
離フィルムシート４を多くする８９ことによりそのフィルムシート
４には仮に粘着材３５が付着されていない部分となる為そのフィル
ムシート４は剥がしやすいものとなり又そのフィルムシート４の分
割数に対し値とする複数ある部材となるその前記複数のその中とな
りえるシール材１４での総面積を多くとなせる部材で多くする８９
ことはその部材やその部材と異なるその他の部材５８で前記多くす
る８９こともでき（ｃ）は前記分割フィルムシート総面積を多くした
材面を該分割フィルムシートと異なる樹脂で形成し設けたことを特
徴とすることを示しその保護フィルム１７の総面積より多くする８
９前記分割剥離フィルムシート４の一例となりその前記多くした材
面を樹脂なる仮にシール材１４としまたは前記その他の複数からな
るそのシール材１４の硬度を基準にその硬度と上下硬度の異なる部
材５８なる樹脂形成でも前記多くする８９ことができてその前記フ
ィルムシート４をそれらの部材により多くする８９ことがなせるこ
とを示しまた一例となるが前記分割剥離フィルムシート４を保護フ
ィルム１７と比較して総面積を多くなせる部材で多くする８９して
もよいとしということはどんな形状であってもその保護フィルム１
７の総面積よりその分割剥離フィルムシート４の総面積を多くする
８９ということは前記突出部１３に加えてよりその突出部１３の単
数より拡張し複数存在する形成となりえる為その保護フィルム１７
をより扱いやすくすることもできその前記多くする８９の材面硬度
は保護の必要とする部材形状に応じて変形をなす低硬度部材から変
形としない高硬度部材とそれら硬度を使い分けるとよいとしその硬
度の変えられることの形成により様々ある画面に対応できる部材形
状となり（ｄ）はその前記保護フィルム１７外周端部１６を示すそれ
らの部材より明確な目印１３７を前記該外周端部１６と重なる前記
分割剥離フィルムシート４に設けたことを示しその保護フィルム１
７はそれぞれの画面８４に合わせた大きさとする為そのほぼ同じ大
きさとなる画面を示しその保護フィルム１７に係る部材は透明を有
する部材が多い為その部材が室内照明やその透明感によりその保護
フィルム１７部材との画面８４なる位置を見失うことが多くまた高
齢者なる社会でのその視力の低下とする人でもその保護フィルム１
７とその前記画面位置が明確となるようにその分割剥離フィルムシ
ート４に目印１３７を記して明確とし一度で画面８４に貼りやすい
保護フィルム１７形成としその目印はその保護を必要とする画面８
４のその画面に合わせて調整してもよいとする。
【００５５】
図１２より（ａ）から（ｄ）は静電気防止材２３とその保護フィル
ム１７からなる樹脂１２との混合の部材一例を示したものとなり（ａ）
は静電気防止材２３となり（ｂ）は前記保護フィルム１７を樹脂１２
と静電気防止材２３の混合を保護フィルム１７外周端部面３０とし
たものとなりその外周端部面３０にその保護フィルム１７と異なる
その何れかの部材を混合することにより視点が中央部に移行しやす
くなる部材ともなり（ｃ）は前記保護フィルム１７を樹脂１２と静電
気防止材２３の混合をその該保護フィルムとしたものとなり保護の
必要とする画面の形状は全て異なり一例となるが携帯電話２３の画
面に係る文字やアプリ表示がその保護の必要とする画面によって異
なり違いが生じる為その前記保護フィルム１７の樹脂１２と静電気
防止材２３の混合を該保護フィルムとした一例となり（ｄ）は前記保
護フィルム１７を樹脂１２とセラミック材１８と静電気防止材２３
を混合させた形成部材となりその前記セラミック材１８によりその
保護フィルム１７はそのセラミック材１８の特性となるその前記セ
ラミック材１８は樹脂１２を高硬度にする効果がありキズがつきに
くいものとなり又水汚れをその保護フィルム１７材面に吸着させず
に滑らせるといった効果やカビなどの細菌を防ぐ効果がありその保
護フィルム１７はそれらのことやその前記セラミック材１８はその
保護フィルム１７の艶に係る樹脂１２を長年保持するといった光択
保持率が非常に高い為その前記保護フィルム１７は綺麗で清潔さを
保ち続けその保護フィルム１７を購入した状態に近い状態を維持す
ることが特性となり尚その前記保護フィルム１７には静電気防止材
２３も混合された部材で有る為一例となるがその保護の必要とする
部材となる携帯電話２６の画面のその前記静電気２７によるしつこ
い埃２８の定着をその保護フィルム１７の全体で軽減させて埃２８
の付きにくい部材として尚電源となる充電器の抜き差しや操作によ
るその静電気２７を軽減させながらその保護の必要とする部材とな
る携帯電話２６のＩＣなどの電気障害を防ぐものとしてその携帯電
話２６は名称通り携帯として常備持ち歩くものとなりその静電気防
止効果は外出先でもその他の静電気による障害を軽減し防止できる
ものとなりそのセラミック材１８の効果とそのセラミック材１８に
ない効果となる静電気防止材２３の効果をそれぞれ統合させてその
保護の必要とする部材を安定させるものとなり追記となるがそのよ
うに保護の必要とする部材が見る画面はその保護フィルム１７に係
る樹脂に混合する部材はその保護フィルム１７の被覆時の下部とな
る前記画面が見えるようにその前記樹脂１２に混合する他の部材の
量を調整するとよいし又その保護フィルム１７に対しその静電気防
止材２３を１％以上加えて形成してもよいとしそのセラミック材１
８やその保護フィルムと異なるその何れかの部材をその保護フィル
ム１７からなる樹脂に混合させるとその何れかの部材によりその保
護フィルム１７樹脂面は見えない自然なる凹凸部を作り上げそのよ
うな凹凸９３としてもよいがその何れかの部材による混合比率に比
例し透明度は失う為画面に対しもっともよいとするのはその保護フ
ィルム１７に何も混合せずに凹凸９３を作るということであり一例
となるが仮にもっともその前記保護フィルム１７を制作する上で理
想と言える部材は防犯フィルムに何れかの部材を混合したことによ
りその凹凸９３を作ろうとしてできたものではないが前記見えない
凹凸ができていて空砲３８の逃げやすい形成となるがその何れかの
部材により透明度は失われていてその防犯に対しては非常によいが
画面に対しては透明度を損ないたくないものであり又その凹部は保
護フィルム１７側面視の空孔部は平行から開くハ状のような空孔部
を有していない為多少となるが空孔部が変則的な曲がり方をする場
合や空孔部が少し多いということもありその防犯フィルムの厚みか
らの貼りやすい面では自由形成となるが理想としその前記空孔部を
潰すという面では少し硬度が高くその画面の保護フィルム１７に対
しての良い点も悪い点も参考となるが仮に縦１２センチ横が７セン
チの画面の保護フィルム１７に対し仮にミクロ単位からなる空孔部
の凹部８幅を大きく（ｅ）のように保有する形成にするとその保護
フィルム１７の一側面６からの圧力により数の少ない潰しやすい空
孔部となりその空孔部が例えば百個の小さい空孔部と比較すると前
記百個を潰すのは難解となりその空孔部形成は三角形状であれば制
作しやすい。
【００５６】
図１３より（ａ）から（ｃ）は前記保護フィルム１７からなる樹
脂１２に静電気防止材２３からなる他の部材の混合した部材での画
面の見え方を記したものとなり前記保護フィルム１７に樹脂１２と
静電気防止材２３の混合をしたその静電気防止材２３部でも一例と
なるが携帯電話２６のタッチパネルは正常に働きタッチ３３できる
ことを示したものとなる。（ｂ）と（ｃ）は保護フィルム１７からな
る樹脂１２にその前記静電気防止材２３に係る他の部材を加えても
その前記携帯電話２６からなる画面にその前記保護フィルム１７を
被覆してもその画面は明確に見えることの制作一例を示した。  
【００５７】
図１４は前記保護フィルム１７からなる樹脂１２に鉱石４１を多
種からなる一例となる部材説明を記したものとなり（ａ）は鉱石４１
からなるその前記鉱石４１には多数といっていいほどあるがその鉱
石４１の代表一例となるパワーストーン４９や誕生石のそれらが鉱
石４１と呼ばれるものとなる。（ｂ）は前記保護フィルム１７を樹脂
１２と鉱石４１を混合させた部材としたことを示しその前記樹脂１
２はその鉱石４１の混合によりその保護フィルム１７は硬度が増し
て樹脂１２からなるその保護フィルム１７はキズがつきにくくなり
又その前記鉱石４１によりその鉱石４１によるがその前記保護フィ
ルム１７は輝きを演出し前記パワーストーン４９や誕生石を使用し
た部材にすることにより感性や気持ちからなる心のゆとりを安定さ
せる部材となり（ｃ）は前記保護フィルム１７を樹脂１２と蛍光材４
２及び鉱石４１からなる混合を保護フィルム１７外周端部面３０に
したものとなりその前記樹脂１２との混合によりそれらの部材維持
は安定されて長期に渡り安定されるものとなりその前記蛍光材４２
は夜の光となりその前記光により同時に混合した鉱石４１はその光
に対して反射を遂げてその前記夜の空間を演出させるものとなりそ
の前記演出はその保護フィルム１７の外周端部面３０となりその画
面の外周端部面３０をそれらの部材統合によりその前記鉱石４１を
引き立てられる部材とした。（ｄ）は前記保護フィルム１７の該保護
フィルムに鉱石４１を設けた部材としたものとなりその前記鉱石４
１は前記該保護フィルムである為保護の必要とする部材の形状や一
例となるが仮にタブレット３９の画面にその前記保護フィルム１７
を被覆した際にそのタブレット３９の機種は多数ありその前記画面
に係る文字表示やアプリの配置は異なる為それに応じてその鉱石４
１位置の配置が選択できるものとなりその前記鉱石４１を設けたと
いう保護フィルム１７形成は手軽なものとなる。
【００５８】
図１５よりその前記画面の保護フィルム１７からなる樹脂１２に
鉱石４１を多種からなる一例での部材説明を示したものとなり（ａ）
は前記保護フィルム１７を鉱石４１と前記鉱石４１の外周部に蛍光
材４２を設けた部材となり又前記保護フィルム１７の該保護フィル
ムに鉱石４１と前記鉱石４１の外周部に蛍光材を前記保護フィルム
で被覆した部材としたことのそれらを統合して示したものとなりそ
の鉱石４１の外周部の蛍光材４２は夜の光となりその前記鉱石４２
はその光に対して反射を遂げてその前記夜の空間を演出させるもの
となり（ｂ）は前記保護フィルム１７を該保護フィルムに鉱石４１と
離間して蛍光材４２を設けた部材としたことを特徴とし又前記保護
フィルム１７の該保護フィルムに鉱石４１と離間して蛍光材４２を
前記保護フィルム１７で被覆した部材としたことを特徴としたそれ
らを統合して示したものとなりその鉱石４１から離間した蛍光材４
２は夜の光となりその前記鉱石４２はその光に対して反射を遂げて
その前記夜の空間を演出させるものとなるがその前記離間によりそ
の前記鉱石４１をよりその素材を質素に輝かせ尚その離間して設け
たその蛍光材４２の光をその鉱石４１に半減した光をあててそれら
の素材を生かしその前記夜の空間を演出させるものとなり（ｃ）は前
記保護フィルム１７の該保護フィルムに蛍光材４２を設け該蛍光材
に鉱石４１を設けた形成としたことを示したものとなりその鉱石４
１や蛍光材４２は夜の光や輝きとなりその前記鉱石４２はその光に
対して反射を遂げてその前記夜の空間を演出させるものとなりその
保護フィルム１７に係るその鉱石４１や蛍光材４２の一例を示した
ものとなり（ｄ）は前記保護フィルム１７を樹脂１２と鉱石４１及び
蛍光材４２を前記該保護フィルムに設けた形成としたこと又は前記
保護フィルム１７を樹脂１２と鉱石４１及び蛍光材４２を前記該保
護フィルムに混合させたことを示しそれらは該保護フィルムとした
為保護の必要とする部材形状や一例となるが携帯電話２６などのそ
れぞれの機種によりその画面によるアプリの配置場所は異なる為そ
の前記該保護フィルムとしたことによりそれらの鉱石４１や蛍光材
４２の配置が変えることができて鉱石４１による単独による輝きと
共にその蛍光材４２が夜の空間部に光を作り出すものとなり（ｅ）は
前記保護フィルム１７を樹脂１２と鉱石４１の混合を保護フィルム
１７外周端部面としたことを示した概略図なりその前記鉱石４１は
保護の必要とする部材からなる一例となるが携帯電話２６の画面を
損ねることなくその前記鉱石４１の混合した部材となりその鉱石４
１により単独の輝きを演出するものとなりその保護の必要とする部
材に係る画面をいかに質素に見せたいけどでも少し飾りたいという
年配者向けの保護フィルム１７部材としてもよいとし前述記した部
材形状はそのような年齢層に応じた部材を提供してもよいし例えば
前記蛍光材の混合部材は低学年向きにしたり前記樹脂と鉱石のそれ
らの混合した部材は一例となるが年齢層を高めの方向きの部材とし
てもよいし蛍光材を控えめに微小に画面が見える範囲となるまばら
に散りばめ質素な蛍光照明としてもよいとしこの形成とするのであ
ればやはり小量のそれらの部材で質素に輝かせるとよいとしその前
記鉱石はその鉱石以外の部材と組み合わせとし自由に形成しても良
い。
【００５９】
図１６は前記保護フィルム１７に係る鉱石４１特有の人が見て感
じる感性又はそのことからなる心や気持ちが感じるその感性を豊か
にすることのできるその前記鉱石４１の使用方法による一例を示し
たものとなり（ａ）はその保護フィルム１７と統合された前記鉱石
４１を誕生石としてそれを誕生日の贈り物として気持ちをプレゼン
ト４７している概略図となり（ｂ）は一例となる結婚式会場４８を
示してそのような結婚の証しとしてその保護フィルム１７からなる
鉱石４１を使用してもよいとし（ｃ）より前記鉱石は誕生石だけで
はなくパワーストーン４９のような人の支えとなる鉱石を使用して
もよいとする一例となり（ｄ）は仕事や勉強で頑張って成果をえた
自分への御褒美としてそれを頑張る人５０に例えてその保護フィル
ム１７からなる鉱石４１の使用用途の一例を示したものとなりこの
ような他にない人それぞれの魅了される保護フィルム１７を制作し
てもよいとする。
【００６０】
図１７より前記保護フィルム１７は一例なる例となるが仮にどの
ような画面で活用できるのかを保護の必要とする画面８４の一部例
であるがその前記一部を記したものとなり（ａ）はゲーム機５９を示
してその前記ゲーム機５９に係る画面８４は傷がつきやすく保護の
必要とする画面８４の代表となるがそのような保護の必要とする画
面８４でも前記図１からなる保護フィルム１７の形成部材により空
砲３８を気にせずその保護の必要とする画面８４にその保護フィル
ム１７を置ける為、その前記保護フィルム１７形成は表示する画像や
文字及び数字なるどんな画面８４にでも被覆できるという一例を示
しその保護フィルムは緊張感をなくし子供から年配者までの低学年
の年代でも説明を元に行えば空砲が抜けやすい形成とすることもで
きる為や埃を百％完全に除去できる形成ともなる為簡単に貼れるも
しくは貼り替えることができるものとなり昔はよく前記小学１年の
時は小さいシールを交換してノートに貼ったりし集め今はプリクラ
が流行となりそれらのシールは簡単に貼れるものであり着目点はこ
れだけとは限らないがその小面積４４であるから誰にでも貼れると
いうその簡単なる原理に基づき（ｂ）は仮にパソコンを示し保護の必
要とする画面の中ではその前記画面は広いものとなりそのような保
護の必要とする画面８４でも前記図１からなる統合された保護フィ
ルム１の構造部材により誰にでも簡単に貼れてその前記保護フィル
ム１７で保護できるものとなる。（ｃ）より保護の必要とする部材の
代表となるデジタルカメラ６２を示してそのような部材は画面８４
を確認して記憶をシャットアウトするものなのでその前記画面８４
と保護フィルム１７との中間部には埃２８などを残したくないもの
となりこのような場合でも図１からなる統合された保護フィルム１
の構造部材により心のゆとりを持てる施工とその施工の成果をえる
ことのできる部材となせるものとなる一例となり仮に前記保護フィ
ルム１７は一枚からなる保護フィルム１７となる為どんな保護の必
要とする画面８４でも対応できるものとなる例となり（ａ）から（ｃ）
からなる総まとめとなるが前記図１とは  保護フィルム１７の一側
面に剥離可能な滑材２５を設け、前記保護フィルム１７の他側面に
粘着材３５を介して分割剥離フィルムシート４を設け、該フィルム
シート４に設けられた画面の埃を除去する粘着材１２３と該粘着材
１２３の表面に設けた剥離シート１１８を一体的に積層することを
特徴とするとなる為一例となるがその前記保護フィルム１７やその
保護フィルムに係る部材を仮にどんな画面にでも設けえることので
きるという形成としたほんの一例なる例となりその前記保護フィル
ム１７で被覆をなす画面は液晶やプラズマなどまたは目で見て操作
する画面やまたは画像表示や文字表示を行う画面のそれらなどのい
ずれかに設けてもよいとしこの全文なる複数は２つ以上からの限り
なくとする保護フィルム１７形成でなす範囲内での無限としその前
記２つ以上のいずれかに値するものとし前記着目点はその小面積４
４と空砲処理及び埃除去のそれらの欠点をなくした形成にした部材
にすると楽しみながら貼れる保護フィルム１７ともなりえ前記や全
文で記すその無限は仮にその画面８４などは見えない部分もあり限
りなく存在する為仮にそのような言葉で記すものとする。
【００６１】
図１８の（ａ）は前記保護フィルム１７及び保護フィルム１７に係
る部材を複数ある樹脂の何れかの樹脂７３としたことやその何れか
の樹脂なる複数のその何れかの樹脂の組み合わせとすることを特徴
とすることを示して前記複数存在する樹脂７３は高度の軟らかい樹
脂７３から前記硬度の固い樹脂７３まで様々ありその複数からなる
樹脂７３を保護の必要とする画面によってそれらの樹脂７３を組み
合わせの選択肢が可能となる前記樹脂７３のほんの一例を示して
（ｂ）は一例となるが前記保護フィルム１７の該保護フィルムに滑
材１４０もしくは撥水材１０９を設けたことを特徴とする効果を示
してその滑材１４０や撥水材１０９は多数あるが一例として仮にそ
の滑材１４０なるシリコン７８や又は仮にその撥水材１０９なるフ
ッ素樹脂を設けることによりその前記シリコン７８やそのフッ素樹
脂のそれらの特性として埃または汚れ２８を定着させずにそれらを
その保護フィルム１７上から自然除去作用がある為その保護の必要
とする画面に被覆する保護フィルム１７をそのような形成部材にす
ることにより画面は常に安定するものとした前記自然除去作用を示
したものとし（ｃ）と（ｄ）は一例となるが前記保護フィルム１７
の該保護フィルムに弾力を有する部材７１を設けたことを特徴とす
ることを示して弾力部材は多数あるが前記シリコン７８も弾力を有
する部材７１でありその（ｃ）はその弾力部材をその保護フィルム
１７に係る中間部に設けそのことによりその弾力部材は長期なる期
間を経てもその部材の劣化を防ぐものとなり安定するものとなると
同時に接触する指の保護とともに心地よいその保護フィルムとした
ものとなり（ｄ）はその（ｃ）で示した弾力部材を前記保護フィル
ム１７の一側面に積層したものとなり（ｃ）と（ｄ）は一例となり
それらのように弾力を有する部材７１を積層することにより今まで
高硬度とする画面が弾力を有するものへと被覆と同時に変化を遂げ
ることとなり（ｅ）と（ｆ）は前記保護フィルム１７または保護フ
ィルム１７に係る部材のいずれかの該部材もしくはそれらの統合部
材７４の該部材を曲線なる形状の肉厚７５としたことを特徴とする
ことを示してその（ｅ）は前記保護フィルム１７に係る部材を示し
（ｆ）は前記保護フィルム１７を示してそれらの（ｅ）と（ｆ）を
あわせる部材にすることにより前記それらの統合部材７４となりそ
れらの（ｅ）と（ｆ）を仮にそれらの該部材を曲線なる形状の肉厚
７５としたことを示しその前記曲線なる形状の肉厚７５の良効果は
次の図１９で示し記すこととなり複数からなる前記滑材１４０の滑
る度会いはどんな樹脂で形成した保護フィルム１７でもその滑材１
４０を設ける保護フィルム１７やその保護フィルムに係る部材よ
り滑材１４０または撥水の率を微量でも高める部材を前記滑材１４
０または撥水ともする。
【００６２】
図１９より前記保護フィルム１７の一側面の該一側面にシリコン
７８材系なる樹脂と前記シリコンより高硬度な樹脂もしくは高硬度
な部材の何れかの前記高硬度部材とブルーカット材７６を設けたこ
とを特徴とすることを示し図１８の（ｅ）と（ｆ）を統合させたも
のがその（ａ）となり（ｂ）は前記保護フィルム１７をこのような
曲線なる形状の肉厚７５にすることにより雨による水滴やまたは埃
や汚れ２８をその前記曲線なる肉厚７５によりその保護フィルム１
７材部から消える曲線ともなりその為そのような水滴などの付着し
てしまう海辺などの場所や悪天候のそれらによる場合及び常時なる
埃や汚れ２８はその保護フィルム１７を設けることによりその画面
上からそれらの障害がなくなるものとなってその画面８４は常に安
定し見えることとなり（ｃ）と（ｄ）はシリコン７８材系なる樹脂
と前記シリコンより高硬度な樹脂もしくは高硬度な部材の何れかの
前記高硬度部材とブルーカット材７６を設けたことを示してその弾
性変形可能なシリコン７８材系としその前記シリコン７８材系は建
築物などによく使用されて伸縮作用性と防水性のそれらに関して非
常に優れており、そのシリコン材系にブルーカット材７６を設けた
ことにより弾力や防水性を有せると共にそのブルーカットなる成分
材は青をカットし目の疲れにくい効能をプラスすることが可能とな
りそのように形成した部材としてもよいとしその前記シリコン７８
材系より硬度の高い樹脂７６を混合して弾力を有せる高硬度シリコ
ンとしてもよい。前記曲線なる形状の肉厚７５は薄めに形成して扱
いやすい肉厚としてもよいし仮に０．５ミリの誤差なる肉厚として
もよいとしその前記ブルーカット材９２は保護フィルム１７に係る
いずれかの部材に設けてもよいとしそれらの保護フィルム１７形成
は前記一方面に設けたがその保護フィルム基材の形成としてもよい
とする。
【００６３】
図２０より前記防犯フィルム８５での自然にできる空孔部を示し
（ａ）は建築物に係る窓ガラス８７に仮にその前記窓ガラス８７に係
る鍵の付近に半円なるその防犯フィルム８５を設けたとなり（ｂ）
は（ａ）の前記防犯フィルム８５の形成は仮に通常とした両側面が
平面なる低硬度フィルム８８にその保護フィルム１７と異なるその
何れかの仮となるが高硬度部材を加えることによりその防犯フィル
ム８５は硬度が増して防犯用として非常に良い保護フィルム１７が
できることとなり（ｃ）は仮に通常とした両側面が平面なる低硬度
フィルム８８を示し（ｄ）はその（ｂ）によるその何れかの部材を
（ｃ）の仮に通常とした両側面が平面なる低硬度フィルム８８に混
合することによりこのようにわかりやすく大きく記してあるが目で
追えないようなその片側面を触れても解らないような自然にできた
空孔部があり何回か触れるとようやく確認できるような前記空孔部
であり（ｅ）はその空孔部を一番確認しやすい方法としてその防犯
フィルム８５を携帯電話２６の画面に被覆するとその何れかの部材
に係る前記保護フィルム１７の一側面１２４が空砲の柄のように浮
き出ていてその防犯フィルム８５の施工の際に自然にできた空孔部
の形状やその空孔部の細かさやその空孔部の数は画面に設けるには
欠点ともなったが空砲がその防犯フィルム８５の外周端部へ逃げる
自然形成というとことは何度貼りなおしても空砲が入るという失敗
がないということとなりしかしその防犯フィルム８５はその保護フ
ィルム１７と異なるその何れかの部材の混合によりその防犯フィル
ム８５の透明度は失われ画面は見えにくく確認しにくいものとなり
（ｆ）は前記保護フィルム１７の該保護フィルムの画面付着部とな
る他側面に滑材１４０を有す伸縮部材もしくは変形可能部材を保護
フィルム１７の凸部９４と同時に突出させたことを特徴とするもの
となりその前記突出は単数及び複数からもなりえその（ｆ）は仮に
その前記伸縮部材なる滑材１４０をシリコン７８材系として示した
ものとなりそのシリコン７８材系を凸部９４としてその前記保護フ
ィルム１７の他側面にその伸縮部材を突出し設けたものとなりその
保護フィルム１７と凸部９４からなるその凹凸９３は仮に微小なる
ミクロ単位の誤差となる凹凸９３で形成することによりその前記保
護フィルム１７を保護の必要とする画面に被覆するとまずその凹部
８は浮いている状態となり前記空砲３８の逃げ道としてその凹部８
を活用しその保護フィルム１７の一側面に外圧力５５をかけること
によってその前記伸縮部材はクッションを有してその凹部８は空砲
３８を逃がしながら画面にその保護フィルム１７が付着し定着する
ものとなりその前記空砲３８はまだ圧力５５をかけていない凹部８
へと移り移行なしえ、それらを繰り返すことによってその凹部８は
空砲移動形状となりえ及びそのシリコン７８材系はそのシリコン７
８が持つ特有の前記伸縮性を有せる為その伸縮性を生かしてその凹
凸９３形成の空砲移動形状にプラスしてその伸縮性をいかした補助
エアレス凸部９４形成となりその前記伸縮性ともにその滑材１４０
効果により、より逃がしえるその凸部９４の効果を示したものとな
り（ｇ）は前記他側面６を平面８８とし前記粘着材３５を保護フィ
ルムの他方面６に凹凸形状を有するシリコン１２０材系としたこと
を特徴とする及び前記他側面６を平面８８とし前記粘着材３５を保
護フィルム１７の他側面６に凹凸形状を有する粘着材としたことを
特徴とするものとなりそれらの効果はその粘着材３５をシリコン７
８やシリコン材系とすると（ｆ）の前記一側面１２４なるシリコン
７８と同じ効果の滑り効果を持つこととなるがその前記エアレス効
果をその保護フィルム１７材面のその全面でのそのエアレス効果と
なりそれらの前記保護フィルム１７の他側面６は平面８８を有しそ
の前記平面８８に凹凸形状９３を有するそのシリコン１２０なる粘
着材を設けたことによりその保護フィルム１７の硬度を高めに形成
してもその凹凸からなる凹部を前記一側面からの外圧力５５よる変
形を妨げることなく形成することができ（ｈ）は前記他側面の粘着
材を前記画面から着脱可能としたことを特徴とすることを示しその
粘着材はその画面から離れる形成となる為空砲を抜くという圧力移
動が抜けやすい前記画面からその保護フィルムなる粘着材が離れや
すい空砲の高さによる移動浮遊となりその為空砲可能速度が増し前
記本考案１なる剥離可能な滑材２５のその空砲可能速度にプラスさ
せる粘着材とすることができる。
【００６４】
図２１は前記他側面の粘着材面側を凹凸としたことを特徴とする
ことを示しこの図は前記保護フィルムの他側面なる粘着材もしくは
前記保護フィルムの他側面を画面に合わさる形成の前記粘着材によ
り変形密着なる前記密着する粘着材総面積の変わる凹凸としたこと
を特徴とする簡易的に略して説明すると保護フィルム１７のその他
側面６に軽く爪でなぞる跡を残すような微小な凹部８であり前記凹
凸形状９３はこの図に示していない様々なるその凹凸形状９３の形
やその保護フィルム１７の形状の複数形ともなりえるが一例として
例に挙げたものとなり（ａ）は前記保護フィルム１７にその保護フ
ィルム１７と異なるその何れかの部材８６の混合による自然にでき
る凹凸形状９３となり、その前記自然にできる凹凸形状９３は目で
追えにくい微小なる凹凸となり（ｂ）は仮にシリコン７８材系など
のその何れかの部材８６による保護フィルム１７の他側面６なる材
面から凸部９４のみが突出なる凹凸形状９３としたものとなり（ｃ）
は保護フィルム１７の他側面６に凹凸形状９３を施したものとなり
これを仮に通常とし（ｄ）は保護フィルム１７の他側面６をその保
護フィルム１７側面視が波状９５なる凹凸形状９３としたものとな
り（ｅ）は低温による熱を加えるとその前記他側面６に係る凸部９
４が変形する部材による凹凸形状９３としたものとなり（ｆ）は保
護フィルム１７を複数層とした部材の他側面６を凹凸形状９３とし
たものとなり（ｇ）はその保護フィルム１７を多孔質９６としその
前記他側面６の孔部による凹凸形状９３としたものとなり（ｈ）は
その保護フィルム１７及びその前記保護フィルムの粘着材３５をシ
リコン７８材系としそのシリコン材系なる特性によるエヤレス効果
を利用した保護フィルム１７の他側面６を凹凸形状９３としたもの
となり（ｉ）はその保護フィルム１７材面が高低差となるようその
高低差制作形成のその何れかの方法を介してその前記他側面６を凹
凸形状９３としたものとなり（ｊ）は保護フィルム１７の両側面を
凹凸形状９３としたその保護フィルムの他側面６に凹凸を有する形
状となり（ｋ）は保護フィルム１７の他側面６に絵柄なる凹凸形状
９３としたものとなり（ｌ）は例となるがオブラート９７のような
その物質特性のその何れかの部材により熔解する部材によるその前
記凹凸形状９３としたものとなり（ｍ）は部材形状が変わるその何
れかの部材により変形や変化９８をなすその凹凸形状９３としたも
のとなりその変化は仮に示すと液体に熱を加えると蒸発し水蒸気と
なる仮にそのような部材となり（ｎ）は保護フィルム１７基材を直
線なる平面へと変形なせる硬度としその前記本体を曲線で形成した
本体変形型凹凸形状９３部材としたものとなり、保護フィルム１７
は複数なる呼び方や形状からなりえるが保護フィルム１７の複数な
る側面は全ての面に係るその前記複数なるいずれかの一面が前記一
側面６ともなり一例となるがどんな形状なる保護フィルムでも凹凸
９３を設けるとしその前記設けることにより画面に付着した凹凸９
３であれば空砲移動形状が可能となりそれらを前記保護フィルムに
統合させてもよいという一例となりそれら示した図の形成を前記保
護フィルム１７に係る何れかの部材として形成してもよいとし形成
の仕方にもよるが前記凹凸９３なるその凸９４なる先端を半円なる
形状とするとその半円なる中心点がその前記画面に密着する形状と
なり図２の（ｄ）のような形状とするとその半円なる前記画面密着
面は減少する為空砲が抜けやすい形状ともなり前記保護フィルム１
７の他側面を画面に合わさる形成の前記粘着材により変形密着なる
凸部とすることもできその前記凹部８もまた外圧力なる変形するも
のとなる。
【００６５】
図２２は保護フィルム１７の一側面１２４に第二の凹部１０６を
設けたことを特徴とする一例を示しその第二の凹部１０６に係る第
二の凹凸材面９６は皮脂１１１による指に係る失跡を防止するその
前記第二の凹凸材面９６に係る第二の凹部１０６としその保護フィ
ルム１７の酸素保有率を高めることを目的とし（ａ）と（ｂ）と（ｃ）
は前記保護フィルム１７の一側面１２４に仮にμ単位なる第二の凹
凸材面９６の第二の凹部１０６を複数設けその前記第二の凹部１０
６はそのμ単位と微小な為触れても確認視なせずその前記一側面６
を触れるだけでは平面と変らず大きさは自由形成となるがそのよう
な微小な前記第二の凹部１０６とするとその（ａ）のようなその第
二の凹部１０６に触れる指に係る皮脂１１１を示し（ｂ）は（ａ）
のその前記皮脂１１１を一時的に前記第二の凹部１０６に定着とす
る又その第二の凹部１０６に係るその一側面１２４はその第二の凹
部に有する酸素による指の失跡の乾燥なしえる微小なその第二の凹
部１０６ともなり（ｃ）は前記定着した皮脂１１１は数秒たつとそ
の第二の凹部１０６による前記酸素及び保護を必要とする部材の熱
のそれらの融合により乾燥度を高め前記乾燥なる上昇をおこしその
第二の凹部１０６があることによってその前記皮脂１１１による失
跡をなくしえる一形成ともし例えばその第二の凹部１０６を微小な
仮にμ単位なる第二の凹凸形成９６の第二の凹部１０６としたその
画面の障害としないその第二の凹部１０６とし（ｄ）は保護フィル
ム１７としてもよいが窓ガラスの保護フィルム１７なる樹脂材にそ
の樹脂と異なる何れかの部材８６を混合するとその保護フィルムな
る片側面はザラメとなりそのような凹凸９３とするとその凸部９４
による形状部によりその保護フィルム１７と異なるその何れかの部
材８６を加えたガラスの保護フィルムは失跡がなくなりえる一形成
ともなりこの図で示したその前記凸部９４によりその失跡がなくし
える一形成ということは逆もいえて（ａ）形状のような第二の凹部
１０６にすることによりその失跡を消えるさることもなせる前記一
形成ともなりその前記ザラメなるガラスフィルムは防犯フィルムで
あり（ｅ）はその前記保護フィルム１７に複数なる第二の凹部１０
６を設け、二つの側面なるそれらの両面とその前記第二の凹部１０
６と他側面側のその他側面６の凹部８と連通１５させて空気３８を
逃がす仕組みとした一例となり仮にその第二の凹部１０６は保護フ
ィルム１７に係る透明度を必要とする為その第二の凹部１０６は仮
にμ単位なる微小な第二の凹部１０６として形成すると画面を障害
としない第二の凹部１０６としても形成することができる一例とな
り（ｆ）は仮にその保護フィルム１７なる一側面１２４にμ単位な
る第二の凹凸形状９６の第二の凹部１０６を設けその第二の凹部１
０６を設けた面なるその前記一側面１２４に仮に二形成目となる光
触媒材１０５をコーティングしその前記光触媒材１０５によりその
一側面１２４なる面は前記皮脂１１１を分解すると共にその前記第
二の凹部１０６によりその保護フィルム１７の酸素保有量は高まる
為その皮脂１１１による失跡をなくしえる材面とした第二の凹凸形
状９６なるその第二の凹部１０６形成としたもとなり（ｇ）はその
前記保護フィルム１７に係るその第二の凹凸形状９６なる第二の凹
部１０６のその保護フィルム１７の一側面１２４なる面に複数の部
材によるその前記複数のその何れかのコーティング１１４としたも
のとなり（ｈ）は前記で記したその第二の凹部１０６は多種からな
る形状の第二の凹凸形状９６のその第二の凹部１０６として形成す
ることが可能となりその為自由形成となりえ（ｉ）はその（ｉ）を
除く（ａ）から（ｎ）の形成はここで記す両面なる形成もあり（ｊ）
はその前記保護フィルム１７を複数からなる部材での組み合わせな
る層によるその前記保護フィルム１７の一側面６に第二の凹部１０
６を設けたものとなり（ｋ）はその前記保護フィルム１７を複数の
方法を介してその第二の凹凸形状９６とした第二の凹部１０６を示
したものとなり（ｌ）は仮にその保護フィルム１７を複数の層から
なる前記一側面１２４が第二の凹凸形状９６の凹部１０６となり
（ｍ）はその前記保護フィルム１７の一側面１２４を変化に値とす
るその何れかによる変形や変化をなす第二の凹凸形状９６の第二の
凹部１０６としたものとなり（ｎ）はその前記保護フィルム１７の
一側面１２４に絵柄や模様なる第二の凹凸形状９６の第二の凹部１
０６を設けたものとなり（ｏ）はその保護フィルム１７の該保護フ
ィルム材部に仮に第三形成目となるシリカゲル１２７を設けたこと
を示しその前記シリカゲル１２７はその保護フィルム１７の仮に前
記一側面の皮脂１１１を吸収と乾燥をなしえるものとしその前記吸
収と乾燥をなしえるものは複数の調湿材でもありその保護フィルム
１７に前記複数の調湿材なる吸収と乾燥を高めえるその複数の一部
材を設けたとしその一調湿材によりその保護フィルム１７上はその
前記皮脂１１１がなくなるものともなりえそれら述べた第二の凹部
１０６は酸素保有度を高めるという点で仮に記したがその前記酸素
保有度を高めると共に微量に吸収するような塗膜を設けるとよいし
その前記塗膜はその保護フィルム１７より軟らかく凝縮度に係るそ
の低硬度さやその酸素保有率や表面上の滑度率のそれらが上手く咬
み合わさり乾燥や微量吸収のそれらを繰り返すものとなりその前記
塗膜には数秒で皮脂を乾燥させるものが多いということがよくみら
れそのような保護フィルム１７を形成するとその前記一側面１２４
は安定するという一例となりそれらを保護フィルムに設けてもよい
とし前記シリカゲル１２７や調湿材を保護フィルム１７に係る樹脂
などと混合して形成した保護フィルム１７としてもよいとしその前
記第二の凹部は酸素保有率を高めるという点で示した為それらの部
材と微小な酸素を混合時に加えながらその前記それらの部材のその
酸素保有率高めた形成としてもよいとする。
【００６６】
図２３は付属品ともなりえる前記保護フィルム１７に係る部材
の該部材に分離１１４可能な片側面に第三の粘着材１１６を有す
る画面の埃２８を除去する仮貼りシート１１７と前記保護フィル
ム１７より総面積を多くする６３材面からその保護フィルムの該
保護フィルムなる第三の粘着材１１６面側に剥離可能な剥離シー
ト１１８を設け、前記第三の粘着材１１６の前記総面積に伴なる仮
貼シ―ト１１７総面積としたことを特徴とすることや分割の前記
一片に係る画面の埃を除去する粘着材１２３のそれらの施工例を
示しその前記第三の粘着材１１６は保護の必要とする画面総面積
より多くとする形成からその画面総面積より小さく形成とするそ
れらの範囲での総面積とすることもでき仮説明となるが（ａ）は携
帯電話の画面には埃の付着や汚れ２８があり、どんな保護フィルム
１７でもその前記埃や汚れ２８の除去が必要となりその為仮とな
る一例形状での施工方法を示し、まず仮に携帯電話２６に係る画面
の埃や汚れ２８をふき取り（ｂ）はその（ａ）でふき取ったその画
面には細かいごみが残っている為その前記細かいごみを一度に取
り除く方法の一例として部材形成例となるがその第三の粘着材１
１６を有する前記仮貼りシート１１７をその保護の必要とする画
面に貼り付け（ｃ）はその（ｂ）で貼り付けたその仮貼りシート１
１７をその画面から剥がすことによりその画面の前記細かいごみ
が取り除くことができてその埃のない画面に保護フィルム１７が
貼れるものとなり（ｄ）は仮にその仮貼りシート１１７の形成又は
前記保護フィルム１７に係る部材の該部材への設け方の一例とな
り仮にその前記仮貼りシート１１７は分離１１４可能とするその
分離１１４とはその前記該部材とその仮貼りシート１１７を離す
ことが可能な為付属品分離可能部材ともなりえ付属品ともなり仮
にその仮貼りシート１１７は前記保護フィルム１７に係る部材の
該部材部となる為複数に値する形状や複数なる部材形成とするこ
ともできその該部材とその仮貼りシート１１７の間にそれらの部
材と異なるその何れかの部材もしくは脂紙や和紙を設けたそれら
に該当する分離１１４としてもよいとし（ｅ）と（ｆ）は前記分割
なる一片８３の該一片８３に係る画面の埃を除去する粘着材１２
３のその効果を示したものとなりその分割剥離フィルムシート４
の形成となる前記分割の一片８３に係るその前記画面の埃を除去
する粘着材１２３なる表面を保護の必要とする画面に仮置きした
様子を示しその粘着は粘着度を少し低下させるとその保護フィル
ム１７の仮置きなる被覆を失敗としても何度でも貼りなおし前記
仮置きができてその保護フィルム１７のその仮置きなる仮密着が
前記画面の所定位置となしえた状態でその前記分割なる一片８３
を剥がしその剥がした状態での被覆とし矢印に沿いその図はその
前記分割なる一片８３に係る粘着材はそのようにその前記一片８
３を剥がすと同時に画面に係る埃を同時にその粘着力が粘着させ
てその前記保護フィルム１７の被覆を完全に埃２８の入らない形
成とし（ｇ）は前記保護フィルム１７の他側面に係る粘着材３５と
前記画面の埃を除去する粘着材１２３を粘着力の異なる粘着材と
したことを特徴とする一例となりその保護フィルム１７の他側面
に係る粘着材３５力よりその前記画面の埃を除去する粘着材１２
３力を少し低下させることによりその画面の埃を除去する粘着材
１２３の面により保護の必要とする画面に仮置きやその画面の埃
を除去する粘着材１２３の埃除去作用時にその前記保護フィルム
１７の他側面なる粘着材３５に係る分割剥離フィルムシート４が
同時に剥離されることを防ぐものとなり（ｈ）は前記画面の埃を除
去する粘着材１２３の総面積をその保護フィルム１７総面積より
多くする材面からその該保護フィルムの総面積としたことを特徴
とすることを示してその前記画面の埃を除去する粘着材１２３を
その保護フィルム１７より多くすることによりその前記保護フィ
ルム１７総面積は保護の必要とする画面１２８総面積とほぼ同一
となる為その画面の埃を除去する粘着材１２３の総面積はその前
記画面総面積より多くなることによりその為被覆がゆとりあるそ
の画面の埃を除去する粘着材１２３ともなり同時に前記保護フィ
ルム１７総面積より第三の粘着材１１６の総面積を多くしたこと
のそれらを示し、前記仮貼りシート１１７やその画面の埃を除去す
る粘着材１２３は単体形成でも（ａ）から（ｈ）の形状プラス複数
にあたる他の形状の表示画面の保護フィルム１７や考案や一例形
成と比較して異なるどんな形状であってもそれらの保護フィルム
に係る複数にあたる体積や面積及び質量のなどのその何れかを有
す立体のそれぞれ異なる形や他の形状部材のそれらに粘着材を設
け、その粘着材を設けた形成とすると埃の除去できる前記表示画面
の保護フィルム１７ともなり前記保護フィルム１７に係る粘着材
３５力とその画面の埃を除去する粘着材１２３力差を変える形成
によりその前記仮置きを安定させるものともなりその仮貼りシー
ト１１７は部材形成に関わらずその保護フィルム１７やその保護
フィルムに係る部材の該部材部に設けても良いとし図示はないが
その設け方の一例として面ファスナーなどでそれらの部材同士
を付けて設けてもよいし着脱可能な粘着による設け方でも良いと
いう一例となり前記体積や面積及び質量などを有する部材硬度は
問わず様々な立体部材や形状部材を仮にローラーの可動及びその
部材の一部可動のような動く部材や箒のような毛束や毛などを有
する変形可能な部材のそれらの該ローラーや該毛材部に粘着材を
設けても良いしまたポンプやスポイトなどのような吸引空圧やブ
ロアーまたはドライヤーのなどのような吹き出しなる風圧や仮に
その吹き出し口からの前記吹き出し口の総面積が徐々に減少でき
る部材での高低風圧を利用とするその前記スポイトなどはその空
圧の出入口なる孔の先端の該先端に粘着材を設けても良いとしま
た前記体積や面積及び質量を有する部材にその画面の埃を除去す
る粘着材を設けるまたは仮にシリコン形成なるその前記シリコン
などに係るその画面の埃を除去する粘着材のみで形成したそれら
の球をその画面上で転がるような粘着球などの人力で動作をなせ
る形成としてのよいとしそれらは手軽なその表示画面の埃除去形
成及び仮に前記保護フィルム１７に係る部材との複数ともなりえ
るが単体部材または付属品ともなりえその粘着材や全文で記した
それらの粘着材は保護の必要とする画面との着脱や粘着を可能と
する前記粘着を有す部材としその保護フィルムに係る設け方や形
成の仕方は考案と異なる形状でもそれらの粘着材の形状は前記保
護の必要とする画面とその画面総面積に対し仮に一部でも粘着可
能であればそれらの粘着材やそれらの粘着材に係る部材形状や大
きさは考案部材形状及びその材質は異っても一様なものとし自由
形成ともなり（ｉ）は前記保護フィルム１７の他側面６形成なる凹
凸をその前記画面の埃を除去する粘着材１２３面に設け、そのよう
な凹凸形成とするとその凹部６７により粘着力を抑えるその画面
の埃を除去する粘着材１２３ともすることができその凹凸高低差
のその凹部６７はその保護フィルム１７の一側面１２４からの軽
い圧力を必要とするがその圧力に対しその凹部６７が一時画面に
付着しても離れるような大きさなるその画面からの高さが理想と
し仮にその凹部６７と凸部との差を一ミリとしその一ミリはその
画面から離れやすい前記差とするとよいとしその凹凸の全面は一
旦画面に付着するがその凹部６７のみはその画面から離れる為そ
の保護フィルム１７に係るその分割剥離フィルムシート４との保
護フィルム１７の他側面なる粘着材３５が同時に剥離されること
を防ぐものとしその仮置きや埃除去を良好に行えるものとしまた
それらの粘着力の差のみを変えても良いとし一番形成がしやすい
のはその粘着力のみを変えることでありその凹凸の凹部６７は空
気が入る形成であれば一ヶ所でも二ヶ所なる単数から複数の焼印
で凹部６７跡を残すような簡単な凹部６７でよいとしその焼印は
仮説明であり仮に粘着材を焼くとその粘着材は凝縮してしまう為
そのような形成であるということでありその凹部６７を作ること
によりその画面の埃を除去する粘着材１２３は粘着力を高めるこ
ともできまたその画面の埃を除去する粘着材１２３にその画面の
埃を除去する粘着材と異なるその何れかの部材を混合しその画面
の埃を除去する粘着材１２３にそのような凹凸を作ってもよいと
し（ｊ）は保護フィルム１７の他側面に係る粘着材３５と画面の埃
を徐去する粘着材１２３は仮にその他側面の粘着材３５の粘着力
よりその画面の埃を除去する粘着材力を抑える形成でのその画面
の埃を除去する粘着材１２３に発砲スチロールの原料６８を混合
したものとなりその為その画面の埃を除去する粘着材１２３の材
面にその発砲スチロールの原料６８とその画面の埃を除去する粘
着材１２３を同時に混合し設けるとその発砲体により自然にでき
ることとなる凹凸を作りその凹凸の凹部によりその材面は空気が
入りやすくなる為その画面の埃を除去する粘着材１２３は剥離し
やすいものとなりえその発砲スチロールの原料６８は伸縮性も兼
そなえている為クッションを有しまたその画面を傷めずにその粘
着材面は保護の必要とする画面に一時全面密着しその画面の埃の
除去形成となるがその前記伸縮性を持つ凸部によりその材面はそ
の画面から離れる凹部なる浮遊部を作りあげ、そのことによりその
画面の埃を除去する粘着材の粘着度を高めることやその保護の必
要とする画面から剥がしやすいものとなりえその画面の埃を除去
する粘着材１２３による仮置きに係る所定位置への修正なる変更
時におきるその分割剥離フィルムシートを同時に剥離されること
を防ぐ形状としその混合や設け方はその画面の埃を除去する粘着
材と異なるその何れかの部材での混合によるその凹凸材面として
もよいとしその画面の埃を除去する粘着材１２３は仮にその混合
やその形成による変形などのそれらと異なるその何れかの形状や
それらと異なる材質でもその粘着材３５やその画面の埃を除去す
る粘着材１２３及び一例となるが第三の粘着材１１６のそれらの
粘着材となりえ自由形成ともなり仮説明となるがその前記発砲体
をその画面の埃を除去する粘着材１２３に設けることによりその
保護フィルム１７に係る粘着材３５力を仮に六とし前記画面の埃
を除去する粘着材１２３力を仮に四としその発砲体があることに
よりそれらの粘着力差を縮めその仮置きと同時に埃除去を損なう
ことを防ぐ形成とすることもでき前記それらの粘着材は仮に微量
差となるがその凹凸の凸部などの一部を非粘着材とその凹凸に係
る凹部６５などを粘着となす粘着材とのそれらを分けて形成して
もよいとしまたその分け方は微量差となるがその凹凸の凹部６５
を非粘着材としその凸部を粘着となす粘着材とする逆も言えるこ
ととなり、またその凹凸を設けないその粘着力の有無をわける形成
としてもよいとしその形成は仮に保護フィルム１７に係る粘着材
３５力よりその画面の埃を除去する粘着材１２３力を抑える形成
であればどのような形成でもよいとしその粘着力は仮説明となる
為前記それらの粘着力差はつけなくともよいし、つけてもよいとし
形成によってはその保護フィルムに係る粘着材力よりその画面の
埃を除去する粘着材１２３力を高めることも可能となりその第三
の粘着材１１６は粘着材な為その画面の埃を除去する粘着材１２
３と変わらないものとする。
【００６７】
図２４は前記保護フィルム１７に調湿材１２７と滑材１４０を含
有することを特徴とするを示し（ａ）は仮に前記仮貼りシート１１
７を単体で形成したものとなりその前記仮貼りシート１１７はその
該仮貼りシートに第三の粘着材１２３を設け該第三の粘着材に剥離
可能な剥離シート１１８を設けたものとなり（ｂ）は保護フィルム
１７の一方面１２４に光触媒材１０５を設け前記保護フィルム１７
と前記光触媒材１０５のそれらの部材の該部材に同時に第二の凹部
１０６を設けたものとなり（ｃ）は保護フィルム１７の一側面１２
４にシリコン７８材系を設け前記保護フィルム１７とその前記シリ
コン７８材系のそれらの部材の該部材に同時に第二の凹部１０６を
設けたものとなり（ｄ）は保護フィルム１７の一側面１２４にフッ
素樹脂材１０９を設け前記保護フィルム１７とそのフッ素樹脂材１
０９のそれらの部材の該部材に同時に凹部１０６を設けたものとな
り（ｅ）は保護フィルム１７の一側面１２４に滑材１４０を設け前
記保護フィルム１７と前記滑材１４０のそれらの部材の該部材に同
時に第二の凹部１０６を設けたものとなりその滑材１４０はその保
護フィルム１７より滑る率を高めえることのできる部材を滑材１４
０ともなり（ｆ）は（ｂ）から（ｅ）で記し示したその保護フィル
ム１７に設けたコーティング材のそれらを示しその図は保護フィル
ム１７の一側面１２４に前記それらのコーティング材１１３の何れ
かを設けその複数に値となるコーティング材１１の何れかに第二の
凹部１０６を設けたことを示し（ｇ）はその前記保護フィルム１７
材部の該保護フィルム材部にシリカゲル１２７なるその材系または
保護フィルム１７より吸収と乾燥をなせる調整材３とコーティング
材またはその保護フィルム１７より滑る滑材１４０と酸素保有率を
高める凹部１０６を設けたものとなりその前記シリカゲル１２７に
より皮脂１１の吸収や乾燥をなせるものとし及びそのシリカゲル１
２７がその吸収や乾燥をしやすい形成としてその酸素保有率を高め
る為に凹部１０６を設け、その保護フィルムの一側面をカバーとす
るその滑材１４０としたものとなる一例となりその酸素保有率を高
める形成はその保護フィルムより酸素を有する部材でもよいとしそ
の凹部は画面に障害としない微小な大きさとするとよい。
【００６８】
図２５は前記分割剥離フィルムシート４の一片８３を突起５１
形成としたことを特徴とすることからなる一例を示しその仮に高
低差の高なる突起の作用と前記仮貼りシート１１７の形状一例を
示したものとなり（ａ）はその前記一片の該一片なる材面に高低差
を与える材面とする突起５１形成そのフィルムシート形状での前
記画面の埃を除去する粘着材１２３の形状一例を示したものとな
りその一片８３なる材面の粘着材１２３は保護の必要とする画面
への仮置きとその画面の埃を除去するそれらの粘着材面であり仮
に保護フィルム１７に係る部材の該部材に仮貼りシートを設ける
形成とすると１回目となる埃を除去する部材形状例となるがその
前記仮貼りシート１１７によりその保護の必要とする画面はほぼ
埃はなくなる為その画面の埃を除去する粘着材１２３の粘着力を
あまり高めなくともよいということともなり、よってその前記高低
差の材面なるその前記突起形成部に画面の埃を除去する粘着材１
２３を設けず前記仮置きを重視とするその画面の埃を除去する粘
着材１２３面とした一例となり仮にその高低差は一ミリとすると
その画面の埃を除去する粘着材１２３も保護フィルム１７の一側
面１２４からなる外部による圧力により保護の必要とする画面へ
の密着とする微小な高低差とし作用するものとし（ｂ）はその前記
一片８３の該一片８３なる材面の高低差を高めたその複数の一片
８３の単数に値する一枚のその一片８３なる面を剥離した様子を
示したものとなり（ｃ）はその（ｂ）で示したその前記一片８３の
該一片に係る前記突起形状部なるその一片の一部面を高めるとい
う効果を示したものとなりその前記突起なるその高さはその前記
単数に値する一枚の一片８３をそのように剥離することによりそ
の剥離した一片８３の保護フィルム１７材面は高低差を与えたそ
の突起材面のそれらに傾斜を有する保護の必要とする部材との中
間部に浮遊部を作り上げる為前記空砲３８は高低差の低い保護フ
ィルム１７材面からその一片なる高低差の高いその突起材面なる
保護フィルム１７材面へと難を有することなくその前記浮遊部を
流れ完全に外気へと消滅なせる部材形成とし、（ｄ）はその前記仮
貼りシート１１７の総面積よりその部材に係る剥離シート１１８
の総面積を多くするものとなる一例となりその為その仮貼りシー
ト１１７に係るその剥離シート１１８は前記総面積の多さにより
剥がしやすいものとなり（ｅ）はその仮貼りシート１１７総面積
とその前記剥離シート１１８総面積を同一としその該剥離シート
材部に両面に粘着力を有さないシール材１４を設けたものとなり
そのことによりそのシール材１４で簡単にその剥離シート１１８
を剥離できる形成とした一例となりどのような部材でも仮にその
ようなその剥離シート１１８別部材の突出となればよいしその剥
離シート１１８の突出でもよいとし（ｆ）と（ｇ）はその前記仮貼
りシート１１７の該仮貼りシートとなる一側面に粘着２０を有す
るシール５とその一側面と逆面となる他側面に第三の粘着材１１
８を設けその該第三の粘着材とそのシール５の粘着２０の該粘着
に剥離可能な剥離シートを設け、前記該剥離シートに両面に粘着力
を有さないシール材１４を設けたものとなりその為その該仮貼り
シートに係るそのシール５の剥離シート５３を剥離することによ
りその前記仮貼りシート１１７に係るそのシール５はその粘着２
０による粘着力を有す為保護を必要とする部材にそのシール５で
定着なる仮固定ができるものとしその仮に固定される仮貼りシー
ト１１７はその画面に固定とする為その仮貼りシート１１７に係
る剥離シート１１８が前記密着固定の埃除去形成とは異なるが個
所固定剥離とできる為その剥離シート１１８はその両面に粘着材
を有さないシール材１４により簡単に剥離できるものとし（ｈ）と
（ｉ）はその前記一片８３の該一片に係る画面の埃を除去する粘着
材１２３をその保護フィルム１７の他側面を平面視とし見た一例
を示しその画面の埃を除去する粘着材１２３はその前記一片８３
の該一片に高低差を高める突起５１材面と画面の埃を除去する粘
着材１２３を設ける一例となりその画面の埃を除去する粘着材１
２３を仮に一例となるが前記仮貼りシートでほぼ画面からの埃は
とれている状態となる為その粘着形状は仮置きを重視とする画面
の埃を除去する粘着材１２３としその前記一片８３に係る高低差
を高める突起５１材面のみにその画面の埃を除去する粘着材１２
３を設けたものとする一例となり仮に前記高低差なる突起形成は
分割としない単数形成なる前記フィルムシート４の該フィルムシ
ートに設けても同じ理論形成
ともなる。
【００６９】
図２６は保護フィルム１７なる一例を制作する上での簡単に制
作できるということを示したものとなり（ａ）は矢印に沿う二つ
の図からなりその前記保護フィルム１７はどんな形成としてもよ
い自由形成としそれらの保護フィルム１７の一側面１２４に剥離
可能な滑材２５を仮にシート１３６形成としその滑材２５はその
保護フィルムより滑度率が高い部材で有れば滑る透明シールでも
よいとし（ｂ）は前記分割フィルムシート総面積を多くした材面
を該分割フィルムシートと異なる樹脂で形成し設けたことを特徴
とすることを示し矢印に沿う五つの図からなりまず初めの（１）図は
仮に保護フィルム１７の総面積を示し矢印に沿いその（２）図は一例
となるが前記フィルムシート４の外周端部に係るその分割の一片
８３なる両面に粘着材を有さないシール材１４を設けそのシール
材１４により総面積を多くする８９材面ともなりまた矢印に沿う
その（３）図は分割剥離フィルムシート４材部をその部材により総面
積を多くする８９ものとなり及び矢印に沿うその（４）図と（５）図は前
記分割剥離フィルムシート４の一片８３の該一片に高低差の高を
与える突起５１と該高に画面の埃を除去とする粘着材１２３を設
けたことを特徴とすることを示しその前記分割の一片８３の該一
片に高低差を高める突起５１の一例としその該一片８３に仮に一
ミリの肉厚なるシールによりその前記高低差を高める突起５１と
しその前記一ミリなる肉厚はその分割幅により変えるとよいし及
びそのシールなる高低差の高める突起５１にこの形成は仮置き重
視形成となるがその高低差の高めるその突起５１に画面の埃を除
去する粘着材１２３を設けたものとなり（ｃ）は一例となるが三
つの図からなりその前記片側面の仮貼りシート１１７材部に第三
の粘着材１１６を設けその該第三の粘着材１１６の前記仮貼りシ
ート１１７総面積より仮にその剥離シート１１８総面積を多くす
るものとなる剥離シート１１８を設けたものとなりその多くする
８９というその材面は両側面に粘着材を有さないシール材１４や
その分割剥離フィルムシート４で前記多くする８９ということは
多数ある複数部材からなりえそれぞれそのような簡単に制作もで
きる一例なる形成で示した概略図となりその中でよいと思う形成
を使えばよいとし（ｄ）は六図から矢印に沿う前記仮貼りシート
１１７の保護フィルム１７への統合なる一例となり初めの（１）図と
なるその前記仮貼りシート１１７材部の該仮貼りシート材部に凹
凸９１を設けたものとなりその凹凸９１により保護の必要とする
画面との浮遊部を作ることによりその仮貼りシート１１７を剥が
しやすいものとしたものとなり矢印に沿いその（２）図は前記仮貼り
シート１１７材部の該仮貼りシート材部またはその仮貼りシート
１１７に係る剥離シート１１８材部の該剥離シート材部に画面の
汚れを除去するクリーニングシート６６を設けたものとなりその
仮貼りシート１１７はその剥離シート１１８を剥がす前の工程と
なる画面の汚れをその前記クリーニングシート６６によりその画
面の汚れを落とす形成としその前記クリーニングシート６６はそ
の保護フィルム１７に係る部材の該部材部からの分離とする付属
品となる設けかたやその保護フィルム１７に係る部材の該部材に
設けてもよいとし矢印に沿いそれらの（３）図はその前記仮貼りシー
ト１１７材部の該仮貼りシート材部に滑材１４０なる粘着材を設
けたものとなりその滑材１４０なる粘着材によりその仮貼りシー
ト１１７はその滑材１４０により空砲３８が抜けやすくなり完全
に保護の必要とする画面に仮密着させて埃２８を完全に取れるも
のとした一例となりその滑材１４０の滑度率はその仮貼りシート
１１７より滑る率が高いものをその滑材１４０ともなり、矢印に
沿いその（４）図はその仮貼りシート１１７に係る第三の粘着材１１
６面の該第三の粘着材面を粘着材面１１６と非粘着材面６４に分
けたものとなりその非粘着材面６４によってその仮貼りシート１
１７は剥がしやすいものとなり矢印に沿いその（５）図は前記仮貼り
シート１１７材部の該仮貼りシート材部に孔部６５を設けたもの
となりその孔部６５によりその第三の粘着材１１６やその保護を
必要とする画面より仮に総面積を多くとする８９その孔部６５の
非粘着層６４に空気を送りその仮貼りシート１１７を剥がしやす
いものとし矢印に沿いその（６）図はその仮貼りシート１１７を単数
からの複数なる部材画面に合わせた形状としその複数や全文なる
複数は二以上での画面のある範囲での前記無限としそれら記した
部材は前記保護フィルム１７に係る部材の該部材に設けてもよい
としまたはそれらの部材に係る形成をその部材の該部材部にあて
てもよいとし図示はないがその（ｄ）に係るクリーニングシート
６６の該クリ―二ングシートに静電気防止材を設け静電気をカッ
トできる部材としてもよいとする。
【００７０】
図２７より（ａ）のそれらは六図からなる矢印に沿ったものと
なり初めとなるその（1）図は前記仮貼りシート１１７材部の該仮貼
りシート材部にその仮貼りシート１１７を補強とする部材を設け
たものとなりその補強とはその仮貼りシート１１７を剥がしやす
くするという面に値する部材を設ければよいとし軽度や硬度に関
わらずその補強を仮にシール材１４としその仮貼りシートの中心
線に設けたものとなりその前記補強によりその仮貼りシート１１
７はその中心線に力が係るようになる為その仮貼りシート１１７
の湾曲や変形を防ぎ剥離しやすいものとし矢印に沿いその（２）図は
前記保護フィルム１７に係る部材の該部材に剥離する順番やそれ
らの部材名称を示す異なる表記や区別をしたことを特徴とすると
を示したものとなり仮にその仮貼りシート１１７を示す仮マーク
からなるシール１０８をその仮貼りシート１１７材部の該仮貼り
シート材部に設けたものとなりその為その仮貼りシート１１７は
保護フィルム１７との区別を明確としたものとなりまたその保護
フィルム１７やその前記保護フィルム１７に係る部材の該部材の
それらに区別なる表記及び番号なる順番を記してもよいとし矢印
に沿いその（３）図はその前記仮貼りシート１１７に係る第三の粘着
材１１６を仮に着脱可能な粘着材としその為その前記第三の粘着
材１１６はその静電気を帯びてなる埃２８を取り逃がしても何度
でもその埃２８を取りなおしのできる形成としたものとなり矢印
に沿いその（４）図は仮に保護の必要とする画面総面積から仮貼りシ
ート１１７や第三の粘着材１１６の総面積を多くしたことを示し
その前記多くした材面によりその画面から曲がるという埃の取り
残しをなくしえるゆとり形成としたものとなり矢印に沿いその（５）
図は前記仮貼りシート１１７の該仮貼りシート１１７もしくは前
記第三の粘着材１１６の該第三の粘着材１１６に静電気防止材２
３を設けたものとなりその為その仮貼りシート１１７は保護の必
要とする画面との接触と同時に静電気をカットできる形成とした
ものとなりそのことにより埃２８の付着による失敗を軽減するも
のとし矢印に沿いその（６）図はその前記仮貼りシート１１７をその
第三の粘着材１１６材面で保護の必要とする画面に仮固定となせ
るようにその仮貼りシートに係る剥離シート１１０を分割に区切
りとした区分けしたものとなりその分割の一片の総面積を小さい
ものと大きいものに区分けしそのことによりその前記小さい総面
積の一片を剥離し仮にその剥離した面での定着なる仮置きができ
るという一例となり（ｂ）は九図からなる矢印に沿うそれらは保
護フィルム１７に係る分割剥離フィルムシート４及び仮貼りシー
ト１１７の分割一例を示したものとなりその分割数は２枚から１
０枚のその分割一例とし複数なるその仮貼りシートでなせる範囲
の前記無限ともしてそれぞれ扱いやすいその分割数とすることが
できてそれらは前記保護フィルム１７に係る部材の該部材に設け
てもよいしまたはそれら記した形成をその該部材にあててもよい
し使いやすい総面積の異なるその分割形成としてもよいとしその
（ａ）からなる前記表記や区別はその保護フィルム１７に係るそ
れらの部材のその区別をするものとなる為その区別を図示はない
がその複数となる部材をそれらの部材なる色の着色でその区別を
してもよいしそれらの部材形状を異なるものとしそのようなその
区別としてもよいとし（ａ）に係る前記静電気防止材２３は表示
画面の保護フィルム形成に係る複数部材のそれらの何れかの該複
数部材に設けてもよいとする。
【００７１】
図２８の（ａ）はその前記画面の埃を除去する粘着材１２３
の形状一例となりその粘着材１２３は保護の必要とする画面との
前記仮置き粘着部及び埃を除去する形成粘着部となり前記分割フ
ィルム総面積を保護フィルム総面積より多くしたことを特徴とす
ることを示しその多くする材面はその粘着材３５を有さない為剥
離しやすい形成とし尚その前記分割なる一片８９は前記高低差に
よる空砲の逃げえる高さを有するその空砲３８が抜ける形成とし
及びその保護フィルム１７の一側面１２４には剥離可能な滑材２
５が設けている為その滑材２５とともにその前記高低差により空
砲が抜ける形成のそれらをあわせる形成とすることによりその空
砲処理速度の増すものとなりえ空砲可能速度の向上とし（ｂ）と
（ｃ）は仮に本考案なる形成の分割剥離フィルムシート４を分割
とせずに単数形成としたことを示しその保護フィルム１７の該保
護フィルムに粘着２０を有するシール５とその該粘着２０に剥離
シート５３が設けてありまたその単数フィルムシート１３５に係
る画面の埃を除去する粘着材１２３の該粘着材に剥離可能な剥離
シート１１８を有しその剥離シート１１８を剥離することにより
次の層となるその前記画面の埃を除去する粘着材１２３は保護の
必要とする画面に仮置きができる形成としその画面に所定位置な
る保護フィルム１７に係るそのシール５の剥離シート５３を剥離
することによりその前記シール５はその粘着２０により保護の必
要とする部材への仮止めが可能となりその前記シール５により固
定される保護フィルム１７に係る分割としないその単数フィルム
シート１３５に係る該単数フィルムシート１３５には両側面に粘
着を有さないシール材１４を有する為簡単にその単数フィルムシ
ート１３５はその埃を除去する粘着材１２３での画面の埃を除去
しながら剥離ができその保護フィルム１７の他側面に係る粘着材
３５でその保護を必要とする画面に密着させるものとし最終的に
その保護フィルム１７に係るその保護の必要とする部材からなる
そのシール５を剥がすものとなりその保護フィルム１７に係るそ
の前記シール５なる剥離シート５３を剥がすことを仮に一工程と
し二工程目でその単数のフィルムシート１３５を剥離するという
ことはそれに基づき工程を簡略するとそれらの工程で二工程とな
り、またその単数フィルムシート１３５を二分割形成とするとそ
の分割の一片８９を剥離して一工程となりその残りの一片８９を
剥離して二工程目となりそれらのフィルムシート形成はどちらの
形成としても工程数は同じものとなるが施工面は分割なる小面積
４４のほうが空砲３８は抜けやすいという特徴があり仮にその保
護フィルム１７に設けたそのシール５はその保護フィルムに係る
部材の該部材であればそのシール５をそれらの該部材に設けても
良いとし仮にその保護フィルム１７とその保護フィルム１７に係
るそれらの部材の大きさは仮に記したものとなる為その前記大き
さより大小なるその大きさを自由に調整し制作しても良いものと
しその前記シール５は分割の一片８９数に応じた枚数として設け
てもよいとしまた前記単数フィルムシート１３５形成なる保護フ
ィルム形成や複数の保護フィルムにあたる形成のそれらの形成は
全文で記し示した形成などのそれらの何れかを前記複数のそれら
の保護フィルムに係る部材の該部材部にあてる形成としてもよい
しそれらの全文で記した保護フィルム形成と異なる形成であって
も前記全文なる何れかの形成を用いても同じ理論形成ともなり
（ｄ）から（ｆ）は前記剥離可能な滑材を前記滑材硬度から上下
異なる何れかの硬度もしくは前記滑材硬度と同じ硬度なるそれら
の何れかの硬度なる補強するシート材の該シート材に滑材を設け
たことを特徴としその（ｄ）は前記剥離可能な滑材２５を仮に高
硬度なるシート１３６材に高硬度な滑材２５を設けた図となりそ
れらの高硬度からなる部材はその剥離可能な滑材２５を保護フィ
ルム１７から剥離するとそれらの高硬度によりその部材が直線を
保ちながら剥離される為その保護フィルム１７の施工状況を確認
することなく剥離されることとなり（ｅ）は低高度なシート１３
６に高硬度の滑材を設けた為その高硬度な滑材２５はその低硬度
なシート１３６材によりその前記シート１３６に伴い剥離される
為そのシート１３６材は湾曲しながら剥離されるものとなりその
為その保護フィルム１７施工を確認しながら剥離ができるものと
し（ｆ）は仮に前記滑材２５なる形成凝縮度よりそのシート１３
６形成凝縮度を高めたそれらにより形成した一例となりその前記
滑材２５は仮に前記凝縮度が低い為その低い前記滑材２５なる粒
子をまとめる為前記凝縮度の高いシート１３６部材にその凝縮度
の低い滑材２５を設けたものとなりそのことにより滑材２５なる
粒子を安定しその滑材２５表面を安定させるものとし前記凝縮度
はその滑材２５なる凝縮度に対しその前記シート１３６凝縮度は
その滑材２５なる同じ凝縮度やその滑材なる凝縮度の上下なるそ
れらの何れかの凝縮度で形成してもよいとし前記保護フィルムに
係る部材にそれらの何れかの部材と異なる部材を設け形成しても
よいとし（ｇ）は前記埃を除去する粘着材１２３に繊維１３８を
含有することを特徴とすることを示し仮にその繊維１３８に設け
た埃を除去する粘着材１２３はその繊維に浸透するように形成す
るとその繊維１３８の網目による凹凸及びその前記浸透によるそ
の粘着材の粘着力の低下とする為前記仮置きは良好に行えるもの
となりそのように前記保護フィルム１７の他側面なる粘着材３５
の粘着力よりその埃を除去する粘着材１２３の粘着度を低下させ
そのような形成としてもよいとしそれらの粘着材は仮にそのよう
な粘着度の差を持たせた異なる形成となるそれらの形成は自由形
成ともなり仮にその繊維１３８なる硬度はその粘着材の浸透と同
時にその部材がほつれないその繊維１３８硬度や形成とするとよ
いとし仮にその繊維１３８をその繊維と異なる弾力を有する網目
部材等のその部材にその粘着材が浸透する部材もしくはその粘着
材が浸透しない部材などのそれらに前記埃を除去する粘着材１２
３を設けてもよいとしそれらのように仮にその埃を除去する粘着
材１２３にその粘着材と異なる部材を設けることにより粘着力を
低下させることも可能となるがそれらの粘着材の部材形成は自由
形成ともなる為仮にその保護フィルム１７の他側面に係る粘着材
３５より埃を除去する粘着材１２３を低下させれば前記仮置きが
良好ともなりその前記保護フィルム１７の他側面なる粘着材３５
や前記埃を除去する粘着材１２３のそれらの粘着材の粘着力差は
その前記他側面なる粘着材３５の粘着力を基準にその粘着力と同
じ粘着力もしくはその粘着力なる基準の上下なる粘着力のその何
れかの粘着力に値とする前記埃を除去する粘着材１２３としても
よいとし前記浸透なる粘着材はその他側面なる粘着材３５の粘着
力よりその埃を除去する粘着材１２３の粘着力を前記網目により
高めることもできそれらの粘着力の上下差は形成次第でいくらで
もかえることが可能となり前記それらの粘着材は弾力を有せる形
成や弾力を有する部材を設けて弾力をあたえる形成してもよいと
し前記弾力は肉厚によるものでもよいとしまとめると前記弾力に
よる粘着度形成や前記浸透による粘着度形成もしくは前記網目に
よる粘着度形成となりそれらの形成なる粘着度は大きく分けると
それらの粘着度形成の三段階調整ともなせ仮に前記埃を除去する
粘着材１２３の該粘着材に設ける部材はその粘着材と異なる複数
部材ともしその埃を除去する粘着材１２３硬度を基準にその前記
異なる部材硬度をその基準より上下の何れかに値する硬度もしく
はその基準と同じ硬度とし形成の仕方によりその硬度をかえても
よいものとする。
【符号の説明】
【００７２】
１  統合された保護フィルム
２  画面の除去する粘着材の表面
３  調湿部材
４  分割剥離フィルムシート
５  粘着を有するシール
６  保護フィルムの他側面
７  切り込みとなる分割線
８  他側面なる凹部又フィルムシ―トや埃を除去する粘着材の凹部
９  動作を示す線
１０  ミニカー
１１  壁
１２  樹脂の粒子
１３  フィルムシートの突出材部
１４  粘着材を有さないシール材
１５  連通
１６  考案に係る保護フィルムの外周端部
１７  考案に係る保護フィルム
１８  セラミック材
１９  画面の埃を除去する粘着材の切り込み
２０  符号５のシール材面の粘着材
２１  保護フィルムに係る部材や層の上を示す
２２  保護フィルムに係る部材や層の下を示す
２３  静電気防止材
２４  保護フィルム平面視が曲線の空孔部
２５  剥離可能な滑材
２６  携帯電話
２７  静電気
２８  埃又は汚れ
２９  文字の表示
３０  保護フィルム外周端部面
３１  喜ぶ人
３２  指
３３  画面タッチを示す線
３４  携帯電話のカメラ位置
３５  保護フィルム他側面の粘着材
３６  保護フィルムの孔部
３７  離間
３８  空気及び空砲
３９  タブレット
４０  剥がしていない部分
４１  鉱石
４２  蛍光材
４３  保護フィルムより硬度ある部材
４４  小面積
４５  大面積
４６  幸せな家族
４７  プレゼント
４８  結婚式場
４９  鉱石からなるパワーストーン
５０  頑張る人
５１  突起
５２  埃を除去する粘着材と異なる部材
５３  符号２０の粘着材部に設けた剥離可能な剥離シート
５４  保護フィルムに係る空孔部の側面視が三角形状の空孔部
５５  圧力
５６  正三角錐
５７  カット部分
５８  フィルムシートを多くする複数なる部材
５９  ゲーム機
６０  パソコン
６１  テレビ
６２  デジカメ
６３  保護フィルム総面積より多くする第三の粘着材総面積
６４  仮貼りシート材部の非粘着材部
６５  仮貼りシート材部に設けた孔部
６６  画面の汚れをふき取る部材
６７  画面の埃を除去する粘着材の凹凸の凹部
６８  発砲体
６９  正三角錐のその点をカットした後にできる立体
７０  立体の上面より底面を長くした形状
７１  弾力を有する部材
７２  粘着玉
７３  樹脂部材
７４  保護フィルムに係る統合部材
７５  曲線なる形状の肉厚部材
７６  ブルーカット材の成分材
７７  硬度のましたブルーカットを有するシリコン材
７８  シリコン
７９  分割材面を複数の異形からなる部材
８０  分割面を均等に分けた部材
８１  分割材面の肉厚を複数の厚みからなる部材又は重ねた厚み
８２  曲線なる肉厚の保護フィルム
８３  分割の一片
８４  表示画面
８５  防犯フィルム
８６  何れかの部材
８７  窓ガラス
８８  仮に通常とした両側面が平面なる低硬度フィルム
８９  多くする
９０  携帯電話の光
９１  仮貼りシートに設けた凹凸部
９２  硬度の高い樹脂
９３  凹凸形状及び凹凸
９４  凸部
９５  保護フィルム側面視の片側面が波状なる形状の凹凸部
９６  第二の凹凸材面
９７  オブラート
９８  変化又は変形
９９  変形可能部材
１００  空孔部が複数の異形なる凹凸形状
１０１  複数層に形成した保護フィルム
１０２  熱を加えて変形した部材部
１０３  ドライヤー
１０４  保護フィルムへの混合
１０５  光触媒材
１０６  第二の凹凸の凹部
１０７  水滴
１０８  文字表記のあるシール
１０９  フッ素樹脂及び撥水材
１１０  仮貼りシートの分割材部
１１１  皮脂
１１３  複数コーティング材またはそれらのコーティング材
１１４  分離する部分又は分離
１１５  仮貼りシートの片側面
１１６  第三の粘着材
１１７  仮貼りシート
１１８  剥離シート
１１９  複数なる画面の枠を示す線
１２０  凹凸形状を有するシリコン材系
１２１  外圧力
１２２  フィルムシートの外周端部
１２３  画面の埃を除去する粘着材
１２４  保護フィルムの一側面
１２６  多くする部面に係る屈折線
１２７  シリカゲルまたは調湿材
１２８  埃を除去する粘着材の総面積を多くした材面
１２９  フィルムシートの平面
１３０  ヘラ
１３１  保護フィルムに係る層の最下層
１３２  分割としない一枚のフィルムシート
１３３  保護フィルムに係る層の最上層
１３５  単数フィルムシート
１３６  シート
１３７  明確な目印
１３８  繊維
１３９  着脱を示す矢印
１４０  滑材
【図１】
0003190322.tif 000003
【図２】
0003190322.tif 000004
【図３】
0003190322.tif 000005
【図４】
0003190322.tif 000006
【図５】
0003190322.tif 000007
【図６】
0003190322.tif 000008
【図７】
0003190322.tif 000009
【図８】
0003190322.tif 000010
【図９】
0003190322.tif 000011
【図１０】
0003190322.tif 000012
【図１１】
0003190322.tif 000013
【図１２】
0003190322.tif 000014
【図１３】
0003190322.tif 000015
【図１４】
0003190322.tif 000016
【図１５】
0003190322.tif 000017
【図１６】
0003190322.tif 000018
【図１７】
0003190322.tif 000019
【図１８】
0003190322.tif 000020
【図１９】
0003190322.tif 000021
【図２０】
0003190322.tif 000022
【図２１】
0003190322.tif 000023
【図２２】
0003190322.tif 000024
【図２３】
0003190322.tif 000025
【図２４】
0003190322.tif 000026
【図２５】
0003190322.tif 000027
【図２６】
0003190322.tif 000028
【図２７】
0003190322.tif 000029
【図２８】
0003190322.tif 000030
【手続補正書】
【提出日】平成26年2月3日(2014.2.3)
【手続補正１】
【補正対象書類名】実用新案登録請求の範囲
【補正対象項目名】全文
【補正方法】変更
【補正の内容】
【実用新案登録請求の範囲】
【請求項１】
保護フィルム（１７）の一側面に剥離可能な滑材（２５）を設け、前記保護フィルム（１７）の他側面に粘着材（３５）を介して分割剥離フィルムシート（４）を設け、該フィルムシート（４）に設けられた画面の埃を除去する粘着材（１２３）と該粘着材（１２３）の表面に設けた剥離シート（１１８）を一体的に積層することを特徴とする表示画面用保護フィルム。
【請求項２】
前記画面の埃を除去する粘着材に該粘着材よりも弾力を有する部材を含有させたことを特徴とする請求項１記載の表示画面用保護フィルム。
【請求項３】
前記弾力を有する部材を発泡体としたことを特徴とする請求項２記載の表示画面用保護フィルム。
【請求項４】
前記フィルムシートの画面の埃を除去する粘着材の剥離シート側を凹凸で形成したことを特徴とする請求項１記載の表示画面用保護フィルム。
【請求項５】
前記画面の埃を除去する粘着材に静電気防止材を含有することを特徴とする請求項１記載の表示画面用保護フィルム。
【請求項６】
前記埃を除去する粘着材に繊維を含有することを特徴とする請求項１記載の表示画面用保護フィルム。
【請求項７】
前記画面の埃を除去する粘着材の凹部を変形可能な弾性材とすることで該凹部を該画面へ密着可能としたことを特徴とする請求項４記載の表示画面用保護フィルム。
【請求項８】
前記画面の埃を除去する粘着材を該画面から着脱可能な粘着材としたことを特徴とする請求項１記載の表示画面用保護フィルム。
【請求項９】
前記他側面の粘着材と画面の埃を除去する粘着材を異なる粘着力としたことを特徴とする請求項１記載の表示画面用保護フィルム。
【請求項１０】
前記分割剥離フィルムシートの一片を突起形成としたことを特徴とする請求項１記載の表示画面用保護フィルム。
【請求項１１】
前記保護フィルムに調湿材と滑材を含有することを特徴とする請求項１記載の表示画面用保護フィルム。
【請求項１２】
前記他側面の粘着材をシリコン材系としたことを特徴とする請求項１記載の表示画面用保護フィルム。
【請求項１３】
前記他側面の粘着材を前記画面から着脱可能としたことを特徴とする請求項１または１２記載の表示画面用保護フィルム。
【請求項１４】
前記他側面の粘着材面側を凹凸としたことを特徴とする請求項１または１２記載の表示画面用保護フィルム。
【請求項１５】
前記他側面側の粘着材面側なる凹凸の凸部総面積より凹部総面積を少なくしたことを特徴とする請求項１４記載の表示画面用保護フィルム。
【請求項１６】
前記他側面側の粘着材面側なる凹部を連通させ前記保護フィルム外周端部と連通させたことを特徴とする請求項１４または１５記載の表示画面用保護フィルム。
【請求項１７】
前記分割フィルムシート総面積を保護フィルム総面積より多くしたことを特徴とする請求項１記載の表示画面用保護フィルム。
【請求項１８】
前記分割フィルムシート総面積を多くした材面を該分割フィルムシートと異なる樹脂で形成し設けたことを特徴とする請求項１７記載の表示画面用保護フィルム。
【手続補正２】
【補正対象書類名】明細書
【補正対象項目名】００６０
【補正方法】変更
【補正の内容】
【００６０】  図１７より前記保護フィルム１７は一例なる例となるが仮にどのような画面で活用できるのかを保護の必要とする画面８４の一部例であるがその前記一部を記したものとなり（ａ）はゲーム機５９を示してその前記ゲーム機５９に係る画面８４は傷がつきやすく保護の必要とする画面８４の代表となるがそのような保護の必要とする画面８４でも前記図１からなる保護フィルム１７の形成部材により空砲３８を気にせずその保護の必要とする画面８４にその保護フィルム１７を置ける為、その前記保護フィルム１７形成は表示する画像や文字及び数字なるどんな画面８４にでも被覆できるという一例を示しその保護フィルムは緊張感をなくし子供から年配者までの低学年の年代でも説明を元に行えば空砲が抜けやすい形成とすることもできる為や埃を百％完全に除去できる形成ともなる為簡単に貼れるもしくは貼り替えることができるものとなり昔はよく前記小学１年の時は小さいシールを交換してノートに貼ったりし集め今は顔写真のシールが流行となりそれらのシールは簡単に貼れるものであり着目点はこれだけとは限らないがその小面積４４であるから誰にでも貼れるというその簡単なる原理に基づき（ｂ）は仮にパソコンを示し保護の必要とする画面の中ではその前記画面は広いものとなりそのような保護の必要とする画面８４でも前記図１からなる統合された保護フィルム１の構造部材により誰にでも簡単に貼れてその前記保護フィルム１７で保護できるものとなる。（ｃ）より保護の必要とする部材の代表となるデジタルカメラ６２を示してそのような部材は画面８４を確認して記憶をシャットアウトするものなのでその前記画面８４と保護フィルム１７との中間部には埃２８などを残したくないものとなりこのような場合でも図１からなる統合された保護フィルム１の構造部材により心のゆとりを持てる施工とその施工の成果をえることのできる部材となせるものとなる一例となり仮に前記保護フィルム１７は一枚からなる保護フィルム１７となる為どんな保護の必要とする画面８４でも対応できるものとなる例となり（ａ）から（ｃ）からなる総まとめとなるが前記図１とは  保護フィルム１７の一側面に剥離可能な滑材２５を設け、前記保護フィルム１７の他側面に粘着材３５を介して分割剥離フィルムシート４を設け、該フィルムシート４に設けられた画面の埃を除去する粘着材１２３と該粘着材１２３の表面に設けた剥離シート１１８を一体的に積層することを特徴とするとなる為一例となるがその前記保護フィルム１７やその保護フィルムに係る部材を仮にどんな画面にでも設けえることのできるという形成としたほんの一例なる例となりその前記保護フィルム１７で被覆をなす画面は液晶やプラズマなどまたは目で見て操作する画面やまたは画像表示や文字表示を行う画面のそれらなどのいずれかに設けてもよいとしこの全文なる複数は２つ以上からの限りなくとする保護フィルム１７形成でなす範囲内での無限としその前記２つ以上のいずれかに値するものとし前記着目点はその小面積４４と空砲処理及び埃除去のそれらの欠点をなくした形成にした部材にすると楽しみながら貼れる保護フィルム１７ともなりえ前記や全文で記すその無限は仮にその画面８４などは見えない部分もあり限��なく存在する為仮にそのような言葉で記すものとする。